(57)【特許請求の範囲】
【請求項１】
２次元通信媒体と、
前記２次元通信媒体の表面に表示された画像上に配置されると、その配置された位置に関連する関連情報を前記２次元通信媒体を介して受信し、その受信した関連情報を表示する第１の通信装置と、
前記第１の通信装置が配置された位置の位置情報を取得すると、その取得した位置情報に関連する情報を前記関連情報として前記２次元通信媒体を介して前記第１の通信装置へ送信する第２の通信装置とを備える通信システム。
【請求項２】
前記２次元通信媒体上における前記第１の通信装置の配置位置をｘ−ｙ座標によって表わした場合に前記ｘ−ｙ座標を規定するｘ軸およびｙ軸のいずれかに沿って前記２次元通信媒体の一方端に配置され、同じ発信時刻を含む超音波信号と赤外線信号とを前記第１の通信装置から受信し、前記超音波信号の受信位置と前記赤外線信号の受信位置との距離である第１の距離、前記超音波信号の受信時刻および前記赤外線信号の受信時刻を検出し、前記超音波信号、前記赤外線信号、前記第１の距離、前記超音波信号の受信時刻および前記赤外線信号の受信時刻を前記第２の通信装置へ出力する信号受信器をさらに備え、
前記第２の通信装置は、前記超音波信号、前記赤外線信号、前記第１の距離、前記超音波信号の受信時刻および前記赤外線信号の受信時刻を前記信号受信器から受け、前記超音波信号に含まれる前記発信時刻と前記超音波信号の受信時刻とに基づいて前記第１の通信装置と前記超音波信号の前記信号受信器における受信位置との距離である第２の距離を求め、前記赤外線信号に含まれる前記発信時刻と前記赤外線信号の受信時刻とに基づいて前記第１の通信装置と前記赤外線信号の前記信号受信器における受信位置との距離である第３の距離を求め、前記第１から第３の距離に基づいて、前記第１の通信装置が配置された位置の位置情報を取得する、請求項１に記載の通信システム。
【請求項３】
前記２次元通信媒体上に前記画像を投影する投影器をさらに備え、
前記第１の通信装置は、前記画像が投影された前記２次元通信媒体上に配置されると、その配置された位置の位置情報を検出するとともに、その検出した位置情報を前記２次元通信媒体を介して前記第２の通信装置へ送信し、
前記第２の通信装置は、前記第１の通信装置から送信された位置情報を前記２次元通信媒体を介して受信し、その受信した位置情報によって表される位置に関連する情報を前記関連情報として前記２次元通信媒体を介して前記第１の通信装置へ送信する、請求項１に記載の通信システム。
【請求項４】
前記第１の通信装置は、前記２次元通信媒体上に投影された画像データに含まれる位置情報を自己が配置された位置の位置情報として検出する、請求項３に記載の通信システム。
【請求項５】
前記第２の通信装置は、前記第１の通信装置から前記２次元通信媒体を介して前記位置情報を受信すると、その受信した位置情報によって表される位置に関連する画像データを前記関連情報として前記２次元通信媒体を介して前記第１の通信装置へ送信し、
前記第１の通信装置は、前記第２の通信装置から前記２次元通信媒体を介して前記画像データを受信し、その受信した画像データに基づいて画像を表示する、請求項３または請求項４に記載の通信システム。
【請求項６】
前記第１の通信装置は、前記２次元通信媒体上に配置された位置において、複数の位置情報を検出し、その検出した複数の位置情報を前記２次元通信媒体を介して前記第２の通信装置へ送信し、
前記第２の通信装置は、前記２次元通信媒体を介して受信した複数の位置情報を含む領域の画像データを抽出し、その抽出した画像データを前記関連情報として前記２次元通信媒体を介して前記第１の通信装置へ送信する、請求項５に記載の通信システム。
【請求項７】
前記複数の位置情報は、前記第１の通信装置の前記２次元通信媒体上への配置領域の形状を示す四角形の対角線上の２つの頂点の位置情報を含む、請求項６に記載の通信システム。
【請求項８】
前記投影器は、絵画を前記２次元通信媒体上に投影し、
前記第２の通信装置は、前記第１の通信装置が配置された絵画の一部分の画像データを前記関連情報として前記第１の通信装置へ送信し、
前記第１の通信装置は、前記絵画の一部分を拡大して表示する、請求項３に記載の通信システム。
【請求項９】
前記投影器は、地図を前記２次元通信媒体上に投影し、
前記第２の通信装置は、前記第１の通信装置が配置された前記地図上の位置に関連する画像データを前記関連情報として前記２次元通信媒体を介して前記第１の通信装置へ送信する、請求項３に記載の通信システム。
【請求項１０】
前記第２の通信装置は、前記第１の通信装置が配置された前記地図上の位置に生息する動物の画像データを前記関連情報として前記第１の通信装置へ送信し、
前記第１の通信装置は、前記動物の画像データを前記２次元通信媒体を介して受信し、その受信した動物の画像データに基づいて、前記動物を表示する、請求項９に記載の通信システム。
【請求項１１】
前記第２の通信装置は、前記第１の通信装置が配置された前記地図上の位置における名所の画像データを前記関連情報として前記２次元通信媒体を介して前記第１の通信装置へ送信し、
前記第１の通信装置は、前記名所の画像データを前記２次元通信媒体を介して受信し、その受信した名所の画像データに基づいて、前記名所を表示する、請求項９に記載の通信システム。
【請求項１２】
前記第２の通信装置は、前記第１の通信装置が配置された前記地図上の位置におけるリアルタイムな映像データを前記関連情報として前記２次元通信媒体を介して前記第１の通信装置へ送信し、
前記第１の通信装置は、前記映像データを前記２次元通信媒体を介して受信し、その受信した映像データに基づいて、リアルタイムな映像を表示する、請求項９に記載の通信システム。
【請求項１３】
前記投影器は、各施設の配置図を前記２次元通信媒体上に投影し、
前記第２の通信装置は、前記第１の通信装置が配置された前記施設の位置情報を前記２次元通信媒体を介して前記第１の通信装置から受信し、その受信した位置情報によって表された施設の詳細な説明を前記関連情報として前記２次元通信媒体を介して前記第１の通信装置へ送信し、
前記第１の通信装置は、前記２次元通信媒体を介して前記施設の詳細な説明を受信し、その受信した施設の詳細な説明を表示する、請求項３または請求項４に記載の通信システム。
【請求項１４】
前記投影器は、複数の単語を前記２次元通信媒体上に投影し、
前記第２の通信装置は、前記第１の通信装置が配置された１つの単語の位置を示す位置情報を前記２次元通信媒体を介して受信し、その受信した位置情報によって表される位置に投影された単語の内容を表現する手話の画像データを前記関連情報として前記２次元通信媒体を介して前記第１の通信装置へ送信し、
前記第１の通信装置は、前記手話の画像データを前記２次元通信媒体を介して受信し、その受信した手話の画像データに基づいて前記手話を表示する、請求項３または請求項４に記載の通信システム。
【請求項１５】
前記投影器は、街頭風景を前記２次元通信媒体上に投影し、
前記第２の通信装置は、前記第１の通信装置が配置された前記街頭風景中の位置を示す位置情報を前記２次元通信媒体を介して受信し、その受信した位置情報によって表される位置の街頭風景の第１の画像データまたは前記街頭風景およびキャラクタを含む第２の画像データを前記２次元通信媒体を介して前記第１の通信装置へ送信し、
前記第１の通信装置は、前記２次元通信媒体を介して前記第１または第２の画像データを受信し、その受信した第１または第２の画像データに基づいて、前記街頭風景、または前記街頭風景および前記キャラクタを表示する、請求項３または請求項４に記載の通信システム。
【発明の詳細な説明】
【技術分野】
【０００１】
この発明は、通信システムに関し、特に、２次元通信媒体を介して通信を行なう通信システムに関するものである。
【背景技術】
【０００２】
従来、シート状のシート装置を用いて通信を行なう２次元通信システムが知られている（特許文献１）。この２次元通信システムにおいては、各通信装置は、シート装置上に配置され、シート装置を介して他の通信装置と通信を行なう。
【特許文献１】特開２００６−２７０１６５号公報
【発明の開示】
【発明が解決しようとする課題】
【０００３】
しかし、従来の２次元通信システムにおいては、各ユーザが携帯するポータブルな通信装置をシート装置上に配置した場合、その通信装置の配置位置に関連する情報をシート装置を介してユーザの通信装置に表示することが困難であった。
【０００４】
そこで、この発明は、かかる問題を解決するためになされたものであり、その目的は、ユーザの通信装置の配置位置に関連した情報を表示可能な通信システムを提供することである。
【課題を解決するための手段】
【０００５】
この発明によれば、通信システムは、２次元通信媒体と、第１および第２の通信装置とを備える。第１の通信装置は、２次元通信媒体の表面に表示された画像上に配置されると、その配置された位置に関連する関連情報を２次元通信媒体を介して受信し、その受信した関連情報を表示する。第２の通信装置は、第１の通信装置が配置された位置の位置情報を取得すると、その取得した位置情報に関連する情報を関連情報として２次元通信媒体を介して第１の通信装置へ送信する。
【０００６】
好ましくは、第２の通信装置は、第１の通信装置から受信した第１および第２の信号に基づいて、第１の通信装置が配置された位置の位置情報を取得する。
【０００７】
好ましくは、通信システムは、投影器をさらに備える。投影器は、２次元通信媒体上に画像を投影する。そして、第１の通信装置は、画像が投影された２次元通信媒体上に配置されると、その配置された位置の位置情報を検出するとともに、その検出した位置情報を２次元通信媒体を介して第２の通信装置へ送信する。また、第２の通信装置は、第１の通信装置から送信された位置情報を２次元通信媒体を介して受信し、その受信した位置情報によって表される位置に関連する情報を関連情報として２次元通信媒体を介して第１の通信装置へ送信する。
【０００８】
好ましくは、第１の通信装置は、２次元通信媒体上に投影された画像データに含まれる位置情報を自己が配置された位置の位置情報として検出する。
【０００９】
好ましくは、第２の通信装置は、第１の通信装置から２次元通信媒体を介して位置情報を受信すると、その受信した位置情報によって表される位置に関連する画像データを関連情報として２次元通信媒体を介して第１の通信装置へ送信する。第１の通信装置は、第２の通信装置から２次元通信媒体を介して画像データを受信し、その受信した画像データに基づいて画像を表示する。
【００１０】
好ましくは、第１の通信装置は、２次元通信媒体上に配置された位置において、複数の位置情報を検出し、その検出した複数の位置情報を２次元通信媒体を介して第２の通信装置へ送信する。第２の通信装置は、２次元通信媒体を介して受信した複数の位置情報を含む領域の画像データを抽出し、その抽出した画像データを関連情報として２次元通信媒体を介して第１の通信装置へ送信する。
【００１１】
好ましくは、複数の位置情報は、四角形の対角線上の２つの頂点の位置情報を含む。
【００１２】
好ましくは、投影器は、絵画を２次元通信媒体上に投影する。第２の通信装置は、第１の通信装置が配置された絵画の一部分の画像データを関連情報として第１の通信装置へ送信する。第１の通信装置は、絵画の一部分を拡大して表示する。
【００１３】
好ましくは、投影器は、地図を２次元通信媒体上に投影する。第２の通信装置は、第１の通信装置が配置された地図上の位置に関連する画像データを関連情報として２次元通信媒体を介して第１の通信装置へ送信する。
【００１４】
好ましくは、第２の通信装置は、第１の通信装置が配置された地図上の位置に生息する動物の画像データを関連情報として第１の通信装置へ送信する。第１の通信装置は、動物の画像データを２次元通信媒体を介して受信し、その受信した動物の画像データに基づいて、動物を表示する。
【００１５】
好ましくは、第２の通信装置は、第１の通信装置が配置された地図上の位置における名所の画像データを関連情報として２次元通信媒体を介して第１の通信装置へ送信する。第１の通信装置は、名所の画像データを２次元通信媒体を介して受信し、その受信した名所の画像データに基づいて、名所を表示する。
【００１６】
好ましくは、第２の通信装置は、第１の通信装置が配置された地図上の位置におけるリアルタイムな映像データを関連情報として２次元通信媒体を介して第１の通信装置へ送信する。第１の通信装置は、映像データを２次元通信媒体を介して受信し、その受信した映像データに基づいて、リアルタイムな映像を表示する。
【００１７】
好ましくは、投影器は、各施設の配置図を２次元通信媒体上に投影する。第２の通信装置は、第１の通信装置が配置された施設の位置情報を２次元通信媒体を介して第１の通信装置から受信し、その受信した位置情報によって表された施設の詳細な説明を関連情報として２次元通信媒体を介して第１の通信装置へ送信する。第１の通信装置は、２次元通信媒体を介して施設の詳細な説明を受信し、その受信した施設の詳細な説明を表示する。
【００１８】
好ましくは、投影器は、複数の単語を２次元通信媒体上に投影する。第２の通信装置は、第１の通信装置が配置された１つの単語の位置を示す位置情報を２次元通信媒体を介して受信し、その受信した位置情報によって表される位置に投影された単語の内容を表現する手話の画像データを関連情報として２次元通信媒体を介して第１の通信装置へ送信する。第１の通信装置は、手話の画像データを２次元通信媒体を介して受信し、その受信した手話の画像データに基づいて手話を表示する。
【００１９】
好ましくは、投影器は、街頭風景を２次元通信媒体上に投影する。第２の通信装置は、第１の通信装置が配置された街頭風景中の位置を示す位置情報を２次元通信媒体を介して受信し、その受信した位置情報によって表される位置の街頭風景の第１の画像データまたは街頭風景およびキャラクタを含む第２の画像データを２次元通信媒体を介して第１の通信装置へ送信する。第１の通信装置は、２次元通信媒体を介して第１または第２の画像データを受信し、その受信した第１または第２の画像データに基づいて、街頭風景、または街頭風景およびキャラクタを表示する。
【発明の効果】
【００２０】
この発明においては、画像が２次元通信媒体上に投影され、その投影された画像上に第１の通信装置が配置されると、第１の通信装置は、自己の位置を検出して第２の通信装置へ送信する。そして、第２の通信装置は、第１の通信装置から受信した第１の通信装置の位置に関連する関連情報を第１の通信装置へ送信する。そうすると、第１の通信装置は、第２の通信装置から受信した関連情報を表示する。
【００２１】
したがって、この発明によれば、ユーザの通信装置の配置位置に関連した関連情報を表示することができる。
【発明を実施するための最良の形態】
【００２２】
本発明の実施の形態について図面を参照しながら詳細に説明する。なお、図中同一または相当部分には同一符号を付してその説明は繰返さない。
【００２３】
［実施の形態１］
図１は、この発明の実施の形態１による通信システムの構成を示す概略図である。図１を参照して、この発明の実施の形態１による通信システム１００は、通信装置１０，２０と、２次元通信シート３０と、投影器４０とを備える。
【００２４】
通信装置１０，２０は、２次元通信シート３０上に配置される。通信装置１０は、ユーザが携帯するポータブルな通信装置からなる。そして、通信装置１０は、２次元通信シート３０上に配置されると、その配置された位置の位置情報を後述する方法によって検出し、その検出した位置情報を２次元通信シート３０を介して通信装置２０へ送信する。
【００２５】
また、通信装置１０は、自己が配置された位置に関連する関連情報を２次元通信シート３０を介して通信装置２０から受信し、その受信した関連情報を表示する。
【００２６】
通信装置２０は、通信装置１０が配置された位置を示す位置情報を２次元通信シート３０を介して通信装置１０から受信し、その受信した位置情報に対応する関連情報を後述する方法によって抽出する。そして、通信装置２０は、その抽出した関連情報を２次元通信シート３０を介して通信装置１０へ送信する。
【００２７】
２次元通信シート３０は、通信装置１０，２０から出力された電波を伝搬させる。
【００２８】
投影器４０は、位置情報を含む画素からなる画像を２次元通信シート３０上に投影する。
【００２９】
図２は、２次元通信シートの斜視図である。また、図３は、図２に示す線ＩＩＩ−ＩＩＩ間における２次元通信シートの断面図である。
【００３０】
図２および図３を参照して、２次元通信シート３０は、誘電体部３１と、導体部３２，３３とを含む。誘電体部３１は、たとえば、厚みがほぼ一定であるプラスチックまたは発泡材からなり、シート状の形状を有する。導体部３２は、たとえば、金属からなり、誘電体部３１の一方の一主面にメッシュ状に形成される。この場合、メッシュ状の導体部３２によって囲まれる開口部３２Ａは、正方形の形状を有し、複数の開口部３２Ａは、２次元通信シート３０の外界における電磁波長よりも短い間隔で配置されている。導体部３３は、たとえば、金属からなり、誘電体部３１の他方の一主面（導体部３２が形成された面と反対面）の全面に形成される。
【００３１】
メッシュ状の導体部３２は、外界とシート状の誘電体部３１との相互電磁結合を弱める働きをするので、外界と誘電体部３１との電磁結合が十分に弱いと仮定すると、シート状の誘電体部３１の内部では、電磁波は、１／（με）１／２で伝搬する。この場合、μは、誘電体部３１の透磁率であり、εは、誘電体部３１の誘電率である。
【００３２】
開口部３２Ａは、２次元通信シート３０の外界における電磁波長よりも短い間隔で配置されているので、各開口部３２Ａから漏れ出すエバネッセント波も、電磁波長よりも短い空間周期で電磁波位相が変化し、遠方まで伝搬する波動とはならない。
【００３３】
この場合の減衰係数は、ｅｘｐ（−（ε／ε０−１）１／２（ω／ｃ）ｚ）となる。ここで、ε０は、外界の誘電率であり、ωは、信号の角周波数であり、ｃは、外界における光速であり、ｚは、誘電体部３１の導体部３２が形成された面からの距離である。
【００３４】
したがって、εがそれほど大きくなくても、誘電体部３１の薄い膜厚に対して、エバネッセント波のしみ出し領域を波長程度まで小さくすることができる。
【００３５】
このように、２次元通信シート３０は、電磁波を１／（με）１／２で伝搬させるとともに、その一主面（導体部３２が形成された面）からエバネッセント波をしみ出させる。
【００３６】
図４は、図１に示す通信装置１０の構成を示す概略ブロック図である。図４を参照して、通信装置１０は、受光部１１，１２と、表示部１３と、制御部１４と、通信部１５と、コネクタ１６と、電力蓄積部１７とを含む。
【００３７】
受光部１１は、電力蓄積部１７から供給される電力によって駆動し、投影器４０によって２次元通信シート３０上に投影された画像に含まれる複数の画素のうち、受光部１１上に位置する画素に含まれる位置情報［ｘ１，ｙ１］を後述する方法によって検出し、その検出した位置情報［ｘ１，ｙ１］を制御部１４へ出力する。
【００３８】
受光部１２は、電力蓄積部１７から供給される電力によって駆動し、投影器４０によって２次元通信シート３０上に投影された画像に含まれる複数の画素のうち、受光部１１上に位置する画素に含まれる位置情報［ｘ２，ｙ２］を後述する方法によって検出し、その検出した位置情報［ｘ２，ｙ２］を制御部１４へ出力する。
【００３９】
表示部１３は、電力蓄積部１７から供給される電力によって駆動し、通信装置１０が配置された位置に関連する関連情報ＩＦＲを制御部１４から受け、その受けた関連情報ＩＦＲを表示する。
【００４０】
制御部１４は、電力蓄積部１７から供給される電力によって駆動し、受光部１１，１２からそれぞれ位置情報［ｘ１，ｙ１］，［ｘ２，ｙ２］を受け、その受けた位置情報［ｘ１，ｙ１］，［ｘ２，ｙ２］と、通信装置１０のアドレスＡｄｄ１０とを含むパケットＰＫＴ１＝［Ａｄｄ１０／［ｘ１，ｙ１］，［ｘ２，ｙ２］］を生成する。そして、制御部１４は、その生成したパケットＰＫＴ１＝［Ａｄｄ１０／［ｘ１，ｙ１］，［ｘ２，ｙ２］］を通信部１５へ出力する。
【００４１】
また、制御部１４は、関連情報ＩＦＲを含む通信装置１０宛てのパケットＰＫＴ２＝［Ａｄｄ１０／ＩＦＲ］を通信部１５から受け、その受けたパケットＰＫＴ２＝［Ａｄｄ１０／ＩＦＲ］から関連情報ＩＦＲを取り出す。そして、制御部１４は、その取り出した関連情報ＩＦＲを表示部１３へ出力する。
【００４２】
通信部１５は、電力蓄積部１７から供給される電力によって駆動し、制御部１４からパケットＰＫＴ１＝［Ａｄｄ１０／［ｘ１，ｙ１］，［ｘ２，ｙ２］］を受けると、その受けたパケットＰＫＴ１＝［Ａｄｄ１０／［ｘ１，ｙ１］，［ｘ２，ｙ２］］を所定の方式によって変調する。そして、通信部１５は、ＲＴＳ（Ｒｅｑｕｅｓｔ  Ｔｏ  Ｓｅｎｄ）パケットを生成し、その生成したＲＴＳパケットをコネクタ１６を介して通信装置２０へ送信し、通信装置２０からＣＴＳ（Ｃｌｅａｒ  Ｔｏ  Ｓｅｎｄ）パケットを受信すると、その変調したパケットＰＫＴ１＝［Ａｄｄ１０／［ｘ１，ｙ１］，［ｘ２，ｙ２］］をコネクタ１６へ出力する。
【００４３】
また、通信部１５は、通信装置２０からのＲＴＳパケットの受信に応じてＣＴＳパケットを通信装置２０へ送信した後に、コネクタ１６からパケットＰＫＴ２＝［Ａｄｄ１０／ＩＦＲ］を構成する伝送波ｗｖを受けると、パケットＰＫＴ２が通信装置１０宛てであるので、その受けた伝送波ｗｖを信号ＳＧと電力ＰＷとに分離する。そして、通信部１５は、その分離した信号ＳＧをアナログ信号からディジタル信号に変換して復調し、パケットＰＫＴ２＝［Ａｄｄ１０／ＩＦＲ］を取得する。そうすると、通信部１５は、その取得したパケットＰＫＴ２＝［Ａｄｄ１０／ＩＦＲ］を制御部１４へ出力するとともに、ＡＣＫ（Ａｃｋｎｏｗｌｅｄｇｅ）パケットをコネクタ１６を介して通信装置２０へ送信する。また、通信部１５は、その分離した電力ＰＷを電力蓄積部１７へ供給する。
【００４４】
一方、通信部１５は、ＣＴＳパケットを送信する前にコネクタ１６から伝送波ｗｖを受けると、その伝送波ｗｖを構成するパケットが通信装置１０以外の通信装置へ送信されるものであるため、その受けた伝送波ｗｖを電力ＰＷとして電力蓄積部１７へ供給する。
【００４５】
コネクタ１６は、２次元通信シート３０に接して配置される。そして、コネクタ１６は、通信部１５から受けたＲＴＳパケット、ＣＴＳパケット、ＡＣＫパケットおよびパケットＰＫＴ１＝［Ａｄｄ１０／［ｘ１，ｙ１］，［ｘ２，ｙ２］］等を後述する方法によって伝送波ｗｖとして２次元通信シート３０へ送信する。
【００４６】
また、コネクタ１６は、２次元通信シート３０を介して伝送波ｗｖを受信し、その受信した伝送波ｗｖを通信部１５へ出力する。
【００４７】
電力蓄積部１７は、通信部１５から受けた電力ＰＷを蓄積する。
【００４８】
図５は、図４に示すＡ方向から見た通信装置１０の平面図である。図５を参照して、通信装置１０は、略四角形の平面形状を有する。２つの受光部１１，１２は、四角形の対角線上の２つの角部に表示部１３を挟んで配置される。そして、２つの受光部１１，１２は、円形形状を有する。
【００４９】
図６は、図１に示すもう１つの通信装置２０の構成を示す概略ブロック図である。図６を参照して、通信装置２０は、コネクタ２１と、通信部２２と、制御部２３と、記憶部２４とを含む。
【００５０】
コネクタ２１は、２次元通信シート３０に接して配置される。そして、コネクタ２１は、２次元通信シート３０を介して伝送波ｗｖから受信し、その受信した伝送波ｗｖを通信部２２へ出力する。
【００５１】
また、コネクタ２１は、通信部２２からＲＴＳパケット、ＣＴＳパケット、ＡＣＫパケットおよびパケットＰＫＴ２＝［Ａｄｄ１０／ＩＦＲ］等を受け、その受けたＲＴＳパケット、ＣＴＳパケット、ＡＣＫパケットおよびパケットＰＫＴ２＝［Ａｄｄ１０／ＩＦＲ］等を伝送波ｗｖとして２次元通信シート３０へ送信する。
【００５２】
通信部２２は、コネクタ２１から伝送波ｗｖを受け、その受けた伝送波ｗｖをアナログ信号からディジタル信号に変換して復調し、パケットを取得する。そして、通信部２２は、その取得したパケットがＲＴＳパケット等の制御パケットである場合、その制御パケットに対応する応答をコネクタ２１を介して送信する。一方、通信部２２は、その取得したパケットがパケットＰＫＴ１である場合、パケットＰＫＴ１を制御部２３へ出力する。
【００５３】
また、通信部２２は、パケットＰＫＴ２を制御部２３から受け、その受けたパケットＰＫＴ２を所定の方式によって変調し、その変調したパケットＰＫＴ２をコネクタ２１へ出力する。
【００５４】
制御部２３は、通信部２２からパケットＰＫＴ１を受け、その受けたパケットＰＫＴ１から通信装置１０が配置された位置の位置情報［ｘ１，ｙ１］，［ｘ２，ｙ２］を検出する。そして、制御部２３は、その検出した２つの位置情報［ｘ１，ｙ１］，［ｘ２，ｙ２］によって規定される領域ＲＥＧを検出し、記憶部２４に記憶されたテーブルを参照して、その検出した領域ＲＥＧに対応する関連情報ＩＦＲを抽出する。そうすると、制御部２３は、パケットＰＫＴ２＝［Ａｄｄ１０／ＩＦＲ］を生成し、その生成したパケットＰＫＴ２＝［Ａｄｄ１０／ＩＦＲ］を通信部２２へ出力する。
【００５５】
記憶部２４は、領域ＲＥＧと、関連情報ＩＦＲとを対応付けたテーブルを記憶する。
【００５６】
図７は、２次元通信の概念図である。図７を参照して、２つの通信装置１０，２０が２次元通信シート３０上に配置される。この場合、通信装置１０のコネクタ１６および通信装置２０のコネクタ２２が２次元通信シート３０の開口部３２Ａに接する。通信装置１０の制御部１４は、送信すべきパケットを生成して通信部１５へ出力する。
【００５７】
通信装置１０の通信部１５は、制御部１４から受けたパケットを所定の方式に変調し、その変調したパケットをディジタル信号からアナログ信号に変換してコネクタ１６へ出力する。
【００５８】
そうすると、通信装置１０のコネクタ１６は、通信部１５から受けたアナログ信号に応じて、内蔵した電極（図示せず）のスカラーポテンシャルおよび／またはベクトルポテンシャルを変化させる。ここで、スカラーポテンシャルの変化は、電位の変化に対応し、ベクトルポテンシャルの変化は、電流分布の変化、電束密度の変化および変位電流の分布の変化に対応する。
【００５９】
コネクタ１６に内蔵された電極のスカラーポテンシャルおよび／またはベクトルポテンシャルが変化すると、２次元通信シート３０の誘電体部３１に電磁波が発生し、その発生した電磁波は、２次元通信シート３０の表面付近のみを伝搬する（図７の矢印参照）。
【００６０】
そして、通信装置２０が配置された位置まで伝搬した電磁波は、誘電体部３２の開口部３２Ａからエバネッセント波ＥＷＶをしみ出させる。そうすると、通信装置２０のコネクタ２１は、その内蔵した電極（図示せず）によってエバネッセント波ＥＷＶを検知し、通信装置１０から送信された電気信号を受信する。
【００６１】
このように、２次元通信は、２次元通信シート３０の表面近傍を伝送する電磁波を用いて行なわれる。なお、誘電体部３１に発生する電磁波は、２次元通信シート３０中を伝送する伝送波を構成する。
【００６２】
通信装置１０の受光部１１，１２における位置情報の検出方法について説明する。図８は、受光部１１，１２における受光画素を示す平面図である。図８を参照して、受光部１１，１２の各々は、４×４に配置された１６個の受光画素ｃ０〜ｃＦを有する。
【００６３】
図９は、投影器４０によって２次元通信シート３０上に投影される画像の１つの画素を示す平面図である。図９を参照して、１つの画素ＰＵは、（ｑ＋１）×（ｒ＋１）に配置された複数の画素ブロックｐ００〜ｐｑｒからなる。そして、１つの画素ＰＵは、位置情報が埋め込まれた複数のブロックＢ００，Ｂ０４，Ｂ４０，Ｂ４４，・・・を含む。
【００６４】
複数のブロックＢ００，Ｂ０４，Ｂ４０，Ｂ４４，・・・の各々は、２×２に配置された４個の画素ブロックからなる。そして、複数のブロックＢ００，Ｂ０４，Ｂ４０，Ｂ４４，・・・は、市松模様に配置される。
【００６５】
図１０は、図８に示す各受光画素ｃ０〜ｃＦにおける受光レベルの遷移を示す図である。図１０を参照して、受光画素ｃ０〜ｃＦは、受光レベルがそれぞれパターンＰＴＭ１−１〜ＰＴＭ１−１６で変化する光信号を受光する。そして、パターンＰＴＭ１−１〜ＰＴＭ１−１６は、１つの画素に埋め込まれた位置情報を表す位置情報パターンＰＴＭ１を構成する。
【００６６】
図９に示す複数のブロックＢ００，Ｂ０４，Ｂ４０，Ｂ４４，・・・の各々は、上述したように、４個の画素ブロックからなるので、１つのブロックに含まれる４個の画素ブロックは、１つの位置情報パターンＰＴＭ１を構成する１６個のパターンＰＴＭ１−１〜ＰＴＭ１−１６のうちの４個のパターンからなる光信号が重畳されている。
【００６７】
また、位置情報パターンＰＴＭ１は、１つの画素の位置を表すので、他の画素の位置を表す位置情報パターンＰＴＭ２は、位置情報パターンＰＴＭ１を構成する１６個のパターンＰＴＭ１−１〜ＰＴＭ１−１６と異なる１６個のパターンＰＴＭ２−１〜ＰＴＭ２−１６からなる。
【００６８】
図１１は、１つの画素と受光画素との関係を示す平面図である。図１１を参照して、１つの画素ＰＵは、位置情報が埋め込まれた５個のブロックＢ１〜Ｂ５を含む。そして、ブロックＢ１〜Ｂ５の各々は、位置情報パターンＰＴＭ１を構成する１６個のパターンＰＴＭ１−１〜ＰＴＭ１−１６のうちの４個のパターンからなる光信号が重畳されている。
【００６９】
また、受光画素ｃ０〜ｃＦが、ブロックＢ１〜Ｂ３の少なくとも一部に重なるように配置されたとする。より具体的には、ブロックＢ１は、受光画素ｃ０〜ｃＦのうち、受光画素ｃＡ，ｃＢ，ｃＥ，ｃＦに重なり、ブロックＢ２の一部は、受光画素ｃ０〜ｃＦのうち、受光画素ｃ２に重なり、ブロックＢ３の一部は、受光画素ｃ８，ｃＣに重なる。
【００７０】
その結果、受光部１１，１２の各々の受光画素ｃＡ，ｃＢ，ｃＥ，ｃＦ，ｃ２，ｃ８，ｃＣは、画素ＰＵの位置情報パターンＰＴＭ１を構成する１６個のパターンＰＴＭ１−１〜ＰＴＭ１−１６のうちの７個のパターンを受光する。
【００７１】
図１２は、受光パターンと位置情報との関係を示す関係テーブルの概念図である。図１２を参照して、関係テーブルＲＬＴは、受光パターンと位置情報とからなる。受光パターンおよび位置情報は、相互に対応付けられる。
【００７２】
受光パターンは、ＰＴＭ１〜ＰＴＭｎ（ｎは、２以上の整数）からなり、位置情報は、ｐｓ１１，ｐｓ１２，ｐｓ１３，ｐｓ１４，・・・，ｐｓＰＱからなる。そして、受光パターンＰＴＭ１〜ＰＴＭｎは、それぞれ、位置情報ｐｓ１１，ｐｓ１２，ｐｓ１３，ｐｓ１４，・・・，ｐｓＰＱに対応付けられる。
【００７３】
受光部１１は、関係テーブルＲＬＴを保持しており、ブロックＢ１〜Ｂ３に重なった受光画素ｃＡ，ｃＢ，ｃＥ，ｃＦ，ｃ２，ｃ８，ｃＣが受光パターンを受光すると、受光画素ｃＡ，ｃＢ，ｃＥ，ｃＦ，ｃ２，ｃ８，ｃＣが受光した受講パターンを含む位置情報パターンＰＴＭｊ（＝位置情報パターンＰＴＭ１〜ＰＴＭｎのいずれか）を検出し、関係テーブルＲＬＴを参照して、その検出した位置情報パターンＰＴＭｊに対応する位置情報ｐｓｊを抽出する。そして、受光部１１は、位置情報ｐｓｊを位置情報［ｘ１，ｙ１］として検出する。
【００７４】
受光部１２も、受光部１１と同じ方法によって位置情報［ｘ１，ｙ１］を検出する。
【００７５】
このように、受光部１１，１２は、各画素に埋め込まれた位置情報パターンＰＴＭ１〜ＰＴＭｎを受光して位置情報［ｘ１，ｙ１］，［ｘ２，ｙ２］をそれぞれ検出する。
【００７６】
以下、ユーザの通信装置１０が２次元通信シート３０上に配置された位置に関連する関連情報ＩＦＲを通信装置１０に表示する各種の具体例について説明する。
【００７７】
［具体例１］
図１３は、２次元通信シート３０上に投影される具体例１における画像を示す図である。具体例１においては、投影器４０は、絵画の画像Ｇ１を２次元通信シート３０上に投影する。
【００７８】
そして、ユーザは、通信装置１０を画像Ｇ１の任意の領域ＲＥＧ１に配置する。そうすると、通信装置１０の受光部１１は、投影器４０によって投影された画像Ｇ１の一部の画素に埋め込まれた位置情報［ｘ１，ｙ１］を上述した方法によって検出し、その検出した位置情報［ｘ１，ｙ１］を制御部１４へ出力する。
【００７９】
また、通信装置１０の受光部１２は、受光部１１と同様にして位置情報［ｘ２，ｙ２］を検出し、その検出した位置情報［ｘ２，ｙ２］を制御部１４へ出力する。
【００８０】
そして、通信装置１０の制御部１４は、受光部１１，１２からそれぞれ位置情報［ｘ１，ｙ１］，［ｘ２，ｙ２］を受け、その受けた位置情報［ｘ１，ｙ１］，［ｘ２，ｙ２］に基づいてパケットＰＫＴ１＝［Ａｄｄ１０／［ｘ１，ｙ１］，［ｘ２，ｙ２］］を生成し、その生成したパケットＰＫＴ１＝［Ａｄｄ１０／［ｘ１，ｙ１］，［ｘ２，ｙ２］］を通信部１５へ出力する。
【００８１】
通信装置１０の通信部１５は、制御部１４からパケットＰＫＴ１＝［Ａｄｄ１０／［ｘ１，ｙ１］，［ｘ２，ｙ２］］を受け、その受けたパケットＰＫＴ１＝［Ａｄｄ１０／［ｘ１，ｙ１］，［ｘ２，ｙ２］］を所定の方式によって変調するとともに、その変調したパケットＰＫＴ１＝［Ａｄｄ１０／［ｘ１，ｙ１］，［ｘ２，ｙ２］］をディジタル信号からアナログ信号に変換する。そして、通信装置１０の通信部１５は、ＲＴＳパケットを通信装置２０へ送信し、通信装置２０からＣＴＳパケットを受信すると、アナログ信号からなるパケットＰＫＴ１＝［Ａｄｄ１０／［ｘ１，ｙ１］，［ｘ２，ｙ２］］をコネクタ１６へ出力する。
【００８２】
そして、通信装置１０のコネクタ１６は、通信部１５から受けたパケットＰＫＴ１＝［Ａｄｄ１０／［ｘ１，ｙ１］，［ｘ２，ｙ２］］を上述した方法によって伝送波ｗｖとして２次元通信シート３０を介して通信装置２０へ送信する。
【００８３】
通信装置２０のコネクタ２１は、２次元通信シート３０を介してパケットＰＫＴ１＝［Ａｄｄ１０／［ｘ１，ｙ１］，［ｘ２，ｙ２］］を構成する伝送波ｗｖを受信し、その受信した伝送波ｗｖを通信部２２へ出力する。そして、通信装置２０の通信部２２は、伝送波ｗｖをアナログ信号からディジタル信号に変換して復調し、パケットＰＫＴ１＝［Ａｄｄ１０／［ｘ１，ｙ１］，［ｘ２，ｙ２］］を取得する。
【００８４】
そうすると、通信装置２０の通信部２２は、その取得したパケットＰＫＴ１＝［Ａｄｄ１０／［ｘ１，ｙ１］，［ｘ２，ｙ２］］を制御部２３へ出力する。
【００８５】
通信装置２０の制御部２３は、通信部２２から受けたパケットＰＫＴ１＝［Ａｄｄ１０／［ｘ１，ｙ１］，［ｘ２，ｙ２］］から２つの位置情報［ｘ１，ｙ１］，［ｘ２，ｙ２］を取り出す。
【００８６】
図１４は、図１３に示す画像Ｇ１の各画素と各画素の位置情報との対応関係を示すテーブルの概念図である。図１４を参照して、テーブルＴＢＬ−１は、画素ＧＵ１１〜ＧＵ１８，ＧＵ２１〜ＧＵ２８，ＧＵ３１〜ＧＵ３８，ＧＵ４１〜ＧＵ４８，ＧＵ５１〜ＧＵ５８，ＧＵ６１〜ＧＵ６８，ＧＵ７１〜ＧＵ７８，ＧＵ８１〜ＧＵ８８と、位置情報ｐｓ１１〜ｐｓ１８，ｐｓ２１〜ｐｓ２８，ｐｓ３１〜ｐｓ３８，ｐｓ４１〜ｐｓ４８，ｐｓ５１〜ｐｓ５８，ｐｓ６１〜ｐｓ６８，ｐｓ７１〜ｐｓ７８，ｐｓ８１〜ｐｓ８８とを含む。
【００８７】
そして、位置情報ｐｓ１１〜ｐｓ１８，ｐｓ２１〜ｐｓ２８，ｐｓ３１〜ｐｓ３８，ｐｓ４１〜ｐｓ４８，ｐｓ５１〜ｐｓ５８，ｐｓ６１〜ｐｓ６８，ｐｓ７１〜ｐｓ７８，ｐｓ８１〜ｐｓ８８は、それぞれ、画素ＧＵ１１〜ＧＵ１８，ＧＵ２１〜ＧＵ２８，ＧＵ３１〜ＧＵ３８，ＧＵ４１〜ＧＵ４８，ＧＵ５１〜ＧＵ５８，ＧＵ６１〜ＧＵ６８，ＧＵ７１〜ＧＵ７８，ＧＵ８１〜ＧＵ８８に対応付けられる。
【００８８】
通信装置２０の記憶部２４は、具体例１においては、図１４に示すテーブルＴＢＬ−１を記憶する。
【００８９】
制御部２３は、２つの位置情報［ｘ１，ｙ１］，［ｘ２，ｙ２］を取り出すと、記憶部２４に記憶されたテーブルＴＢＬ−１を参照して、２つの位置情報［ｘ１，ｙ１］，［ｘ２，ｙ２］によって規定された領域ＲＥＧ３を抽出する。
【００９０】
具体的に説明する。たとえば、位置情報［ｘ１，ｙ１］がｐｓ３２からなり、位置情報［ｘ２，ｙ２］がｐｓ２４からなるとすると、通信装置２０の制御部２３は、テーブルＴＢＬ−１を参照して、２つの位置情報ｐｓ３２，ｐｓ２４を有する２つの画素ＧＵ３２，ＧＵ２４を抽出し、その抽出した２つの画素ＧＵ３２，ＧＵ２４が四角形の対角線上の２つの角に位置する四角形の領域ＲＥＧ３を決定する。
【００９１】
そして、通信装置２０の制御部２３は、その決定した領域ＲＥＧ３に含まれる画素ＧＵ２２，ＧＵ２３，ＧＵ２４，ＧＵ３２，ＧＵ３３，ＧＵ３４からなる画像データＧＤ１をテーブルＴＢＬ−１から抽出し、その抽出した画像データＧＤ１を関連情報ＩＦＲとする通信装置１０宛てのパケットＰＫＴ２＝［Ａｄｄ１０／ＩＦＲ（＝ＧＤ１）］を生成する。
【００９２】
そうすると、通信装置２０の制御部２３は、その生成したパケットＰＫＴ２＝［Ａｄｄ１０／ＩＦＲ（＝ＧＤ１）］を通信部２２へ出力し、通信部２２は、パケットＰＫＴ２＝［Ａｄｄ１０／ＩＦＲ（＝ＧＤ１）］を所定の方式によって変調するとともに、その変調したパケットＰＫＴ２＝［Ａｄｄ１０／ＩＦＲ（＝ＧＤ１）］をディジタル信号からアナログ信号に変換する。そして、通信装置２０の通信部２２は、ＲＴＳパケットを通信装置１０へ送信し、通信装置１０からＣＴＳパケットを受信すると、アナログ信号からなるパケットＰＫＴ２＝［Ａｄｄ１０／ＩＦＲ（＝ＧＤ１）］をコネクタ２１へ出力する。
【００９３】
そうすると、通信装置２０のコネクタ２１は、通信部２２から受けたパケットＰＫＴ２＝［Ａｄｄ１０／ＩＦＲ（＝ＧＤ１）］を上述した方法によって伝送波ｗｖとして２次元通信シート３０を介して通信装置１０へ送信する。
【００９４】
図１５は、関連情報ＩＦＲの表示例を示す図である。通信装置１０のコネクタ１６は、２次元通信シート３０を介して通信装置２０からパケットＰＫＴ２＝［Ａｄｄ１０／ＩＦＲ（＝ＧＤ１）］を構成する伝送波ｗｖを受信し、その受信した伝送波ｗｖを通信部１５へ出力する。
【００９５】
通信装置１０の通信部１５は、ＣＴＳパケットを通信装置２０へ送信した後に伝送波ｗｖを受信したので、伝送波ｗｖを信号ＳＧと電力ＰＷとに分離し、信号ＳＧをアナログ信号からディジタル信号に変換して復調し、パケットＰＫＴ２＝［Ａｄｄ１０／ＩＦＲ（＝ＧＤ１）］を取得する。
【００９６】
そして、通信装置１０の通信部１５は、その取得したパケットＰＫＴ２＝［Ａｄｄ１０／ＩＦＲ（＝ＧＤ１）］を制御部１４へ出力するとともに、ＡＣＫパケットを通信装置２０へ送信する。また、通信装置１０の送信部１５は、伝送波ｗｖから分離した電力ＰＷを電力蓄積部１７へ供給し、電力蓄積部１７は、通信部１５から受けた電力ＰＷを蓄積する。
【００９７】
通信装置１０の制御部１４は、通信部１５からパケットＰＫＴ２＝［Ａｄｄ１０／ＩＦＲ（＝ＧＤ１）］を受けると、その受けたパケットＰＫＴ２＝［Ａｄｄ１０／ＩＦＲ（＝ＧＤ１）］から関連情報ＩＦＲ（ＧＤ１）を取り出し、その取り出した関連情報ＩＦＲ（ＧＤ１）を表示部１３へ出力する。
【００９８】
そうすると、通信装置１０の表示部１３は、制御部１４から受けた関連情報ＩＦＲ（ＧＤ１）を表示する（図１５の（ａ）参照）。この場合、通信装置１０は、図１３に示す領域ＲＥＧ１に含まれる部分の画像を表示部１３の全体で表示するので、図１３に示す領域ＲＥＧ１に含まれる部分の画像は、拡大して表示される。
【００９９】
その結果、通信装置１０のユーザは、自己の通信装置１０を画像Ｇ１上の任意の領域ＲＥＧ１に配置するだけで、領域ＲＥＧ１内の画像を拡大して見ることができる。
【０１００】
通信装置１０が図１３に示す画像Ｇ１の領域ＲＥＧ２に配置された場合も、同様にして、通信装置１０は、通信装置２０から受信した関連情報ＩＦＲに基づいて、領域ＲＥＧ２内の画像を拡大して表示する（図１５の（ｂ）参照）。
【０１０１】
このように、具体例１においては、投影器４０は、画像を２次元通信シート３０上に投影し、通信装置１０は、自己が配置された画像上の任意の領域における画像データを通信装置２０から受信し、自己が配置された画像上の任意の領域の画像を拡大して表示する。
【０１０２】
したがって、この発明によれば、通信装置１０の配置位置に関連した情報（画像）を表示できる。
【０１０３】
また、通信装置１０は、通信装置２０から受信したパケットＰＫＴ２＝［Ａｄｄ１０／ＩＦＲ（＝ＧＤ１）］を構成する伝送波ｗｖの一部を電力ＰＷとして蓄積し、その蓄積した電力ＰＷを用いて関連情報ＩＦＲを表示するので、消費電力を節約できる。
【０１０４】
図１６は、２次元通信シート３０上に投影される具体例１における他の画像を示す図である。また、図１７は、領域と説明文との対応関係を示すテーブルの概念図である。
【０１０５】
図１６を参照して、投影器４０は、画像Ｇ２を２次元通信シート３０上に投影する。そして、ユーザは、自己の通信装置１０を画像Ｇ２上の任意の位置に配置する。
【０１０６】
そうすると、通信装置１０は、上述した方法によって、自己が配置された位置の位置情報［ｘ１，ｘ２］，［ｘ２，ｙ２］を検出し、パケットＰＫＴ１を２次元通信シート３０を介して通信装置２０へ送信する。
【０１０７】
通信装置１０が画像Ｇ２上に配置された自己の位置に関連する関連情報ＩＦＲを通信装置２０から受信して表示する場合、通信装置２０の記憶部２４は、図１４に示すテーブルＴＢＬ−１と図１７に示すテーブルＴＢＬ−２とを記憶する。テーブルＴＢＬ−１は、位置情報［ｘ１，ｘ２］，［ｘ２，ｙ２］によって特定される画像Ｇ２上の領域ＡＲＥＡ１，ＡＲＥＡ２，ＡＲＥＡ３，・・・と、領域ＡＲＥＡ１，ＡＲＥＡ２，ＡＲＥＡ３，・・・にそれぞれ対応付けられた説明文ＥＸＰＬ１，ＥＸＰＬ２，ＥＸＰＬ３，・・・とからなる。
【０１０８】
通信装置２０は、記憶部２４に記憶されたテーブルＴＢＬ−１を参照して、上述した方法によって、位置情報［ｘ１，ｘ２］，［ｘ２，ｙ２］によって特定される画像Ｇ２の一部の画像データＧＤ１を抽出するとともに、テーブルＴＢＬ−２を参照して、位置情報［ｘ１，ｘ２］，［ｘ２，ｙ２］によって特定される領域ＡＲＥＡｉに対応する説明文ＥＸＰＬｉを抽出する。そして、通信装置２０は、画像データＧＤ１と説明文ＥＸＰＬｉとを関連情報ＩＦＲとして含むパケットＰＫＴ２＝［Ａｄｄ１０／ＩＦＲ（ＧＤ１／ＥＸＰＬｉ）］を生成して上述した方法によって通信装置１０へ送信する。
【０１０９】
そうすると、通信装置１０の制御部１４は、パケットＰＫＴ２＝［Ａｄｄ１０／ＩＦＲ（ＧＤ１／ＥＸＰＬｉ）］から関連情報ＩＦＲとして画像データＧＤ１と説明文ＥＸＰＬｉとを取り出し、その取り出した画像データＧＤ１および説明文ＥＸＰＬｉを表示部１３へ出力し、表示部１３は、画像データＧＤ１に基づいて、通信装置１０が配置された位置における画像Ｇ２上の一部の画像と、その一部の画像に関連する説明文ＥＸＰＬｉを表示する（図１６参照）。
【０１１０】
これによって、ユーザは、通信装置１０を配置した画像Ｇ２上の一部の画像を拡大して見ることができるとともに、その一部の画像に関連する説明文を読むことができる。その結果、通信装置１０のユーザは、通信システム１００を美術館として利用することができる。
【０１１１】
なお、上記においては、１つの通信装置を画像Ｇ１，Ｇ２上に配置すると説明したが、この発明においては、複数の通信装置１０Ａ，１０Ｂが画像Ｇ１，Ｇ２上に同時に配置される。そして、通信装置１０Ａ，１０Ｂの各々は、上述した通信装置１０と同じ構成からなり、自己が配置された画像Ｇ１，Ｇ２上の位置に関連する関連情報ＩＦＲを通信装置２０から取得して表示する。この場合、各通信装置１０Ａ，１０Ｂは、自己宛てではないパケットＰＫＴ２を構成する伝送波ｗｖを通信装置２０から受信すると、その受信した伝送波ｗｖを電力ＰＷとして蓄積する。
【０１１２】
このように、この発明においては、複数のユーザが通信システム１００を用いて自己の通信装置を配置した位置に関連する画像（または画像および説明文）を見ることができる。
【０１１３】
［具体例２］
図１８は、２次元通信シート３０上に投影される具体例２における画像を示す図である。また、図１９は、領域と画像データとの対応関係を示すテーブルの概念図である。
【０１１４】
図１８を参照して、具体例２においては、投影器４０は、画像Ｇ３を２次元通信シート３０上に投影する。画像Ｇ３は、世界地図からなる。また、通信装置２０の記憶部２４は、図１９に示すテーブルＴＢＬ−３を記憶する。
【０１１５】
図１９を参照して、テーブルＴＢＬ−３は、領域と画像データとからなる。領域は、ＡＲＥＡ１〜ＡＲＥＡｎからなり、画像データは、ＧＤＷ１〜ＧＤＷｎからなる。そして、画像データＧＤＷ１〜ＧＤＷｎは、それぞれ、領域ＡＲＥＡ１〜ＡＲＥＡｎに対応付けられる。領域ＡＲＥＡ１〜ＡＲＥＡｎの各々は、通信装置１０によって検出される２つの位置情報［ｘ１，ｙ１］，［ｘ２，ｙ２］によって特定される領域であり、画像データＧＤＷ１〜ＧＤＷｎは、それぞれ、領域ＡＲＥＡ１〜ＡＲＥＡｎにおける名所および風景等の画像を表示するためのデータである。そして、名所および風景等の画像は、静止画であっても動画であってもよい。
【０１１６】
通信装置１０は、画像Ｇ３上の領域ＲＥＧ４に配置されると、その配置された位置の位置情報［ｘ１，ｙ１］，［ｘ２，ｙ２］を上述した方法によって検出し、その検出した位置情報［ｘ１，ｙ１］，［ｘ２，ｙ２］を含むパケットＰＫＴ１を上述した方法によって２次元通信シート３０を介して通信装置２０へ送信する。
【０１１７】
そして、通信装置２０の制御部２３は、上述した方法によってパケットＰＫＴ１を２次元通信シート３０を介して通信装置１０から受信すると、その受信したパケットＰＫＴ１に含まれる位置情報［ｘ１，ｙ１］，［ｘ２，ｙ２］を取り出し、その取り出した位置情報［ｘ１，ｙ１］，［ｘ２，ｙ２］によって特定される領域ＡＲＥＡｊを検出する。より具体的には、通信装置２０の制御部２３は、２つの位置情報［ｘ１，ｙ１］，［ｘ２，ｙ２］が四角形の対角線上の２つの角に位置するように、四角形からなる領域ＡＲＥＡｊを検出する。このように、領域ＡＲＥＡｊは、２つの位置情報［ｘ１，ｙ１］，［ｘ２，ｙ２］が四角形の対角線上の２つの角に位置するように決定されるので、領域ＡＲＥＡｊを決定することは、通信装置１０の配置方向も考慮して通信装置１０が配置された領域を決定することに相当する。したがって、領域ＡＲＥＡｊは、通信装置１０の配置方向も考慮して決定された領域であり、後述するように、領域ＡＲＥＡｊに対応する画像データＧＤＷｊを抽出することは、通信装置１０の配置方向に応じて画像データＧＤＷｊを抽出することに相当する。
【０１１８】
そうすると、通信装置２０の制御部２３は、記憶部２４に記憶されたテーブルＴＢＬ−３を参照して、その検出した領域ＡＲＥＡｊに対応する画像データＧＤＷｊを抽出し、その抽出した画像データＧＤＷｊを関連情報ＩＦＲとして含むパケットＰＫＴ２＝［Ａｄｄ１０／ＩＦＲ（ＧＤＷｊ）］を生成して通信部２２へ出力する。
【０１１９】
そして、通信装置２０の通信部２２は、上述した方法によって、パケットＰＫＴ２＝［Ａｄｄ１０／ＩＦＲ（ＧＤＷｊ）］を２次元通信シート３０を介して通信装置１０へ送信する。
【０１２０】
通信装置１０は、２次元通信シート３０を介してパケットＰＫＴ２＝［Ａｄｄ１０／ＩＦＲ（ＧＤＷｊ）］を受信し、その受信したパケットＰＫＴ２＝［Ａｄｄ１０／ＩＦＲ（ＧＤＷｊ）］に含まれる関連情報ＩＦＲ（＝ＧＤＷｊ）をパケットＰＫＴ２から取り出し、その取り出した関連情報ＩＦＲ（＝ＧＤＷｊ）を表示部１３へ出力する。
【０１２１】
そして、通信装置１０の表示部１３は、画像データＧＤＷｊに基づいて、通信装置１０が配置された位置に関連する名所を表示する。
【０１２２】
また、通信装置１０が画像Ｇ３上の領域ＲＥＧ５に配置された場合、通信装置１０は、上述した方法によって、通信装置２０から画像データＧＤＷを受信し、その受信した画像データＧＤＷに基づいて、通信装置１０が配置された位置に関連する情報として、「竹やぶに隠れたパンダ」からなる風景を表示する。
【０１２３】
このように、通信装置１０のユーザは、たとえば、自宅に居ながら、世界の各地の名所または風景を観光できる。
【０１２４】
図２０は、２次元通信シート３０上に投影される具体例２における他の画像を示す図である。図２０を参照して、投影器４０は、日本地図からなる画像Ｇ４を２次元通信シート３０上に投影する。そして、通信装置１０は、日本地図上のある位置に配置される。
【０１２５】
そうすると、通信装置１０は、上述した方法によって、その配置された位置の位置情報［ｘ１，ｙ１］，［ｘ２，ｙ２］を検出し、その検出した位置情報［ｘ１，ｙ１］，［ｘ２，ｙ２］を含むパケットＰＫＴ１を生成して通信装置２０へ送信する。
【０１２６】
そして、通信装置２０は、通信装置１０から受信したパケットＰＫＴ１から位置情報［ｘ１，ｙ１］，［ｘ２，ｙ２］を取り出し、位置情報［ｘ１，ｙ１］，［ｘ２，ｙ２］によって特定される領域ＡＲＥＡｋを検出する。その後、通信装置２０は、記憶部２４に記憶されたテーブルＴＢＬ−３を参照して、領域ＡＲＥＡｋに対応する画像データＧＤＷｋを抽出し、その抽出した画像データＧＤＷｋを関連情報ＩＦＲとして含むパケットＰＫＴ２＝［Ａｄｄ１０／ＩＦＲ（ＧＤＷｋ）］を生成して通信装置１０へ送信する。この場合、画像データＧＤＷｋは、定点カメラによって撮影された画像データからなる。
【０１２７】
通信装置１０は、２次元通信シート３０を介してパケットＰＫＴ２＝［Ａｄｄ１０／ＩＦＲ（ＧＤＷｋ）］を受信し、その受信したパケットＰＫＴ２から関連情報ＩＦＲ（ＧＤＷｋ）を取り出し、その取り出した画像データＧＤＷｋに基づいて、定点カメラによって撮影された画像を表示する。
【０１２８】
このように、定点カメラによって撮影された画像データを収集することによって、通信装置１０のユーザは、定点カメラによって撮影された画像を通信システム１００を用いて見ることができる。
【０１２９】
図２１は、２次元通信シート３０上に投影される具体例２におけるさらに他の画像を示す図である。図２１を参照して、投影器４０は、教室の机上に設置された２次元通信シート３０上に画像Ｇ５を投影する。
【０１３０】
図２２は、領域と画像データと説明文との対応関係を示すテーブルの概念図である。図２２を参照して、テーブルＴＢＬ−４は、図１９に示すテーブルＴＢＬ−３に説明文を追加したものであり、その他は、テーブルＴＢＬ−３と同じである。
【０１３１】
説明文は、ＥＸＰＬ１〜ＥＸＰＬｎからなる。そして、説明文ＥＸＰＬ１〜ＥＸＰＬｎは、それぞれ、画像データＧＤＷ１〜ＧＤＷｎに対応付けられており、画像データＧＤＷ１〜ＧＤＷｎの内容を説明する文章からなる。
【０１３２】
投影器４０が画像Ｇ５を２次元通信シート３０上に投影する場合、通信装置２０の記憶部２４は、テーブルＴＢＬ−４を記憶する。
【０１３３】
通信装置１０は、画像Ｇ５上の川の部分に配置されると、上述した方法によって、その配置された位置の位置情報［ｘ１，ｙ１］，［ｘ２，ｙ２］を検出し、その検出した位置情報［ｘ１，ｙ１］，［ｘ２，ｙ２］を含むパケットＰＫＴ１を生成して通信装置２０へ送信する。
【０１３４】
そして、通信装置２０は、通信装置１０から受信したパケットＰＫＴ１から位置情報［ｘ１，ｙ１］，［ｘ２，ｙ２］を取り出し、位置情報［ｘ１，ｙ１］，［ｘ２，ｙ２］によって特定される領域ＡＲＥＡｍを検出する。その後、通信装置２０は、記憶部２４に記憶されたテーブルＴＢＬ−４を参照して、領域ＡＲＥＡｍに対応する画像データＧＤＷｍを抽出するとともに、その抽出した画像データＧＤＷｍに対応する説明文ＥＸＰＬｍを抽出する。そして、通信装置２０は、その抽出した画像データＧＤＷｍおよび説明文ＥＸＰＬｍを関連情報ＩＦＲとして含むパケットＰＫＴ２＝［Ａｄｄ１０／ＩＦＲ（ＧＤＷｍ＋ＥＸＰＬｍ）］を生成して通信装置１０へ送信する。
【０１３５】
通信装置１０は、２次元通信シート３０を介してパケットＰＫＴ２＝［Ａｄｄ１０／ＩＦＲ（ＧＤＷｍ＋ＥＸＰＬｍ）］を受信し、その受信したパケットＰＫＴ２から関連情報ＩＦＲ（ＧＤＷｍ＋ＥＸＰＬｍ）を取り出し、その取り出した画像データＧＤＷｍに基づいて、「川に生息する魚（鮎）」を表示するとともに、説明文ＥＸＰＬｍに基づいて、魚（鮎）についての説明を表示する。
【０１３６】
これによって、生徒は、通信装置１０を配置した川には、魚（鮎）が生息し、鮎について学習する。
【０１３７】
また、通信装置１０を山の部分に配置すれば、通信装置１０が配置された山に生息する動物（たとえば、熊）の画像および熊について説明が通信装置１０に表示される。
【０１３８】
したがって、通信システム１００を学習教材として使用できる。
【０１３９】
［具体例３］
図２３は、２次元通信シート３０上に投影される具体例３における画像を示す図である。図２３を参照して、投影器４０は、画像Ｇ６を２次元通信シート３０上に投影する。画像Ｇ６は、複数の言語が配置された画像である。
【０１４０】
図２４は、領域と言語と手話アニメとの対応関係を示すテーブルの概念図である。図２４を参照して、テーブルＴＢＬ−５は、領域と、言語と、手話アニメとからなる。領域、言語、および手話アニメは、相互に対応付けられる。
【０１４１】
領域は、ＡＲＥＡ１〜ＡＲＥＡｎからなり、言語は、ＬＡＧ１〜ＬＡＧｎからなり、手話アニメは、ＧＤＦＬ１〜ＧＤＦＬｎからなる。領域ＡＲＥＡ１〜ＡＲＥＡｎは、それぞれ、言語ＬＡＧ１〜ＬＡＧｎが配置された領域からなる。言語ＬＡＧ１〜ＬＡＧｎは、「今日」、「とても」、「天気」および「良い」等の言語からなる。手話アニメＧＤＦＬ１〜ＧＤＦＬｎは、それぞれ、対応する言語ＬＡＧ１〜ＬＡＧｎを手話によって説明する画像データからなる。
【０１４２】
通信装置１０は、画像Ｇ６上の複数の言語のいずれか（たとえば、「天気」）の上に配置されると、上述した方法によって、その配置された位置の位置情報［ｘ１，ｙ１］，［ｘ２，ｙ２］を検出し、その検出した位置情報［ｘ１，ｙ１］，［ｘ２，ｙ２］を含むパケットＰＫＴ１を生成して通信装置２０へ送信する。
【０１４３】
そして、通信装置２０は、通信装置１０から受信したパケットＰＫＴ１から位置情報［ｘ１，ｙ１］，［ｘ２，ｙ２］を取り出し、位置情報［ｘ１，ｙ１］，［ｘ２，ｙ２］によって特定される領域ＡＲＥＡｍを検出する。その後、通信装置２０は、記憶部２４に記憶されたテーブルＴＢＬ−５を参照して、領域ＡＲＥＡｍに対応する言語ＬＡＧｍを抽出するとともに、その抽出した言語ＬＡＧｍに対応する手話アニメＧＤＦＬｍを抽出する。そして、通信装置２０は、その抽出した手話アニメＧＤＦＬｍを関連情報ＩＦＲとして含むパケットＰＫＴ２＝［Ａｄｄ１０／ＩＦＲ（ＧＤＦＬｍ）］を生成して通信装置１０へ送信する。
【０１４４】
通信装置１０は、２次元通信シート３０を介してパケットＰＫＴ２＝［Ａｄｄ１０／ＩＦＲ（ＧＤＦＬｍ）］を受信し、その受信したパケットＰＫＴ２から関連情報ＩＦＲ（ＧＤＦＬｍ）を取り出し、その取り出した手話アニメＧＤＦＬｍに基づいて、「天気」を手話によって説明する画像を表示する。
【０１４５】
これによって、耳が不自由なユーザは、天気を知ることができる。
【０１４６】
通信装置１０が「天気」以外の言語の上に配置された場合も、同様である。
【０１４７】
［具体例４］
図２５は、２次元通信シート３０上に投影される具体例４における画像を示す図である。図２５を参照して、投影器４０は、画像Ｇ７を２次元通信シート３０上に投影する。画像Ｇ７は、複数の領域のうちのいくつかの領域にターゲットとなるキャラクタを含む風景からなる。
【０１４８】
図２６は、領域と画像データと説明文との他の対応関係を示すテーブルの概念図である。図２６を参照して、テーブルＴＢＬ−６は、図２２に示すテーブルＴＢＬ−４と同じ構成要素からなるが、説明文は、画像データの一部に対応付けられている。そして、説明文は、ターゲットとなるキャラクタを探し当てたことを示す文章からなる。
【０１４９】
通信装置１０は、画像Ｇ７上の任意の位置に配置されると、上述した方法によって、その配置された位置の位置情報［ｘ１，ｙ１］，［ｘ２，ｙ２］を検出し、その検出した位置情報［ｘ１，ｙ１］，［ｘ２，ｙ２］を含むパケットＰＫＴ１を生成して通信装置２０へ送信する。
【０１５０】
そして、通信装置２０は、通信装置１０から受信したパケットＰＫＴ１から位置情報［ｘ１，ｙ１］，［ｘ２，ｙ２］を取り出し、位置情報［ｘ１，ｙ１］，［ｘ２，ｙ２］によって特定される領域ＡＲＥＡｍを検出する。その後、通信装置２０は、記憶部２４に記憶されたテーブルＴＢＬ−６を参照して、領域ＡＲＥＡｍに対応する画像データＧＤＷｍを抽出するとともに、その抽出した画像データＧＤＷｍに対応する説明文があれば、その説明文ＥＸＰＬｍを抽出する。なお、通信装置２０は、画像データＧＤＷｍに対応する説明文がなければ、画像データＧＤＷｍのみを抽出する。
【０１５１】
そして、通信装置２０は、その抽出した画像データＧＤＷｍ（または画像データＧＤＷｍおよび説明文ＥＸＰＬｍ）を関連情報ＩＦＲとして含むパケットＰＫＴ２＝［Ａｄｄ１０／ＩＦＲ（ＧＤＷｍ（またはＧＤＷｍ＋ＥＸＰＬｍ））］を生成して通信装置１０へ送信する。
【０１５２】
通信装置１０は、２次元通信シート３０を介してパケットＰＫＴ２＝［Ａｄｄ１０／ＩＦＲ（ＧＤＷｍ（またはＧＤＷＬｍ＋ＥＸＰＬｍ））］を受信し、その受信したパケットＰＫＴ２から関連情報ＩＦＲ（ＧＤＷｍ（またはＧＤＷｍ＋ＥＸＰＬｍ））を取り出す。そして、通信装置１０は、その取り出した画像データＧＤＷｍに基づいて、画像Ｇ７上に配置された通信装置１０の位置に関連する領域の風景を表示する。また、通信装置１０は、画像データＧＤＷｍがターゲットとなるキャラクタを含んでいる場合、画像データＧＤＷｍおよび説明文ＥＸＰＬｍに基づいて、キャラクタを含む風景と、キャラクタを探し当てたことを示す文章とを表示する。
【０１５３】
ユーザは、キャラクタを探し当てるまで、通信装置１０を別の位置に配置し、キャラクタを探し当てれば、ゲームが終了する。
【０１５４】
したがって、通信システム１００をゲームとして使用できる。
【０１５５】
なお、上記においては、１つの通信装置１０を用いたキャラクタ探し当てゲームについて説明したが、この発明においては、複数の通信装置１０を同時に画像Ｇ７の任意の位置に配置することによって、複数のユーザは、相互に対戦しながら、キャラクタ探し当てゲームを行うことができる。
【０１５６】
［具体例５］
図２７は、２次元通信シート３０上に投影される具体例５における画像を示す図である。図２７は、投影器４０は、画像Ｇ８を２次元通信シート３０上に投影する。画像Ｇ８は、たとえば、ショッピング街の各施設の配置図からなる。
【０１５７】
投影器４０が画像Ｇ８を２次元通信シート３０上に投影する場合、通信装置２０の記憶部２４は、図２２に示すテーブルＴＢＬ−４を記憶する。そして、テーブルＴＢＬ−４の画像データＧＤＷ１〜ＧＤＷｎは、通信装置１０が配置された施設内の画像データからなり、説明文ＥＸＰＬ１〜ＥＸＰＬｎは、通信装置１０が配置された施設内の現在の状況を説明する文章からなる。
【０１５８】
たとえば、通信装置１０がドラッグストアに配置された場合、画像データＧＤＷｍは、陳列された薬の画像データからなり、説明文ＥＸＰＬｍは、薬の処方箋を説明する文章からなる。
【０１５９】
通信装置１０は、たとえば、レストランに配置されると、上述した方法によって、その配置された位置の位置情報［ｘ１，ｙ１］，［ｘ２，ｙ２］を検出し、その検出した位置情報［ｘ１，ｙ１］，［ｘ２，ｙ２］を含むパケットＰＫＴ１を生成して通信装置２０へ送信する。
【０１６０】
そして、通信装置２０は、通信装置１０から受信したパケットＰＫＴ１から位置情報［ｘ１，ｙ１］，［ｘ２，ｙ２］を取り出し、位置情報［ｘ１，ｙ１］，［ｘ２，ｙ２］によって特定される領域ＡＲＥＡｍを検出する。その後、通信装置２０は、記憶部２４に記憶されたテーブルＴＢＬ−４を参照して、領域ＡＲＥＡｍに対応する画像データＧＤＷｍを抽出するとともに、その抽出した画像データＧＤＷｍに対応する説明文ＥＸＰＬｍを抽出する。
【０１６１】
そして、通信装置２０は、その抽出した画像データＧＤＷｍおよび説明文ＥＸＰＬｍを関連情報ＩＦＲとして含むパケットＰＫＴ２＝［Ａｄｄ１０／ＩＦＲ（ＧＤＷｍ＋ＥＸＰＬｍ）］を生成して通信装置１０へ送信する。
【０１６２】
通信装置１０は、２次元通信シート３０を介してパケットＰＫＴ２＝［Ａｄｄ１０／ＩＦＲ（ＧＤＷＬｍ＋ＥＸＰＬｍ）］を受信し、その受信したパケットＰＫＴ２から関連情報ＩＦＲ（ＧＤＷｍ＋ＥＸＰＬｍ）を取り出す。そして、通信装置１０は、その取り出した画像データＧＤＷｍに基づいて、レストランのメニューを表示し、説明文ＥＸＰＬｍに基づいて、レストランを紹介する文章またはレストランの混雑状況を説明する文章を表示する。
【０１６３】
これによって、ショッピング街に存在する各施設の情報を迅速に取得でき、快適に買い物等を行うことができる。
【０１６４】
［具体例６］
図２８は、２次元通信シート３０上に投影される具体例６における画像を示す図である。図２８を参照して、投影器４０は、２次元通信シート３０上に画像Ｇ９を投影し（（ａ）参照）、その後、一定時間が経過すると、２次元通信シート３０上に画像Ｇ１０を投影する（（ｂ）参照）。画像Ｇ９は、たとえば、ジャングルの風景およびジャングルに潜む動物を含む画像からなる。また、画像Ｇ１０は、たとえば、ピラミッドの風景およびピラミッドに隠された財宝を含む画像からなる。
【０１６５】
図２９は、領域と画像データと説明文とのさらに他の対応関係を示すテーブルの概念図である。図２９を参照して、テーブルＴＢＬ−７は、図２８に示す画像Ｇ９に対応して、通信装置２０の記憶部２４が記憶するテーブルであり（（ａ）参照）、テーブルＴＢＬ−８は、図２８に示す画像Ｇ１０に対応して、通信装置２０の記憶部２４が記憶するテーブルである（（ｂ）参照）。
【０１６６】
テーブルＴＢＬ−７，ＴＢＬ−８の各々は、図２２に示すテーブルＴＢＬ−４と同じ構成からなる。そして、テーブルＴＢＬ−７の画像データＧＤＷ１−Ｇ９〜ＧＤＷｎ−Ｇ９の各々は、画像Ｇ９の一部の画像データからなる動画または写真である。また、テーブルＴＢＬ−８の画像データＧＤＷ１−Ｇ１０〜ＧＤＷｎ−Ｇ１０の各々は、画像Ｇ１０の一部の画像データからなる動画または写真である。また、テーブルＴＢＬ−７の説明文ＥＸＰＬ１−Ｇ９〜ＥＸＰＬｎ−Ｇ９は、動物の音声データからなり、テーブルＴＢＬ−８の説明文ＥＸＰＬ１−Ｇ１０〜ＥＸＰＬｎ−Ｇ１０は、財宝を説明する文章からなる。
【０１６７】
通信装置１０の制御部１４は、具体例６においては、上述した機能に加え、次の機能を果たす。すなわち、通信装置１０の制御部１４は、画像Ｇ９が２次元通信シート３０上に投影されているときに、受光部１１，１２からの位置情報［ｘ１，ｙ１］，［ｘ２，ｙ２］に基づいて、通信装置１０の配置方向が横置きから縦置きに変えられたことを検出すると、それまでに表示した画像に潜む動物の一覧表を表示するための指示信号ＩＮＳＴ１を生成して表示部１３へ出力する。また、通信装置１０の制御部１４は、画像Ｇ１０が２次元通信シート３０上に投影されているときに、受光部１１，１２からの位置情報［ｘ１，ｙ１］，［ｘ２，ｙ２］に基づいて、通信装置１０の配置方向が横置きから縦置きに変えられたことを検出すると、それまでに表示した画像に隠された財宝の一覧表を表示するための指示信号ＩＮＳＴ２を生成して表示部１３へ出力する。さらに、通信装置１０の制御部１４は、受光部１１，１２から位置情報［ｘ１，ｙ１］，［ｘ２，ｙ２］を初めて受けたタイミングから一定時間が経過すると、２次元通信シート３０上に投影される画像が画像Ｇ９から画像１０に切換えられたことを検知する。
【０１６８】
通信装置１０の表示部１３は、具体例６においては、上述した機能に加え、次の機能を果たす。すなわち、通信装置１０の表示部１３は、画像Ｇ９が２次元通信シート３０上に投影されているときに、画像データＧＤＷｍに基づいて画像を表示する度に、その表示された画像に潜む動物の画像データだけを抜き出し、その抜き出した動物の画像データを保持する。そして、通信装置１０の表示部１３は、制御部１４から指示信号ＩＮＳＴ１を受けると、それまでに保持した動物の画像データに基づいて、動物の一覧表を作成し、その作成した一覧表を表示する。また、通信装置１０の表示部１３は、画像Ｇ１０が２次元通信シート３０上に投影されているときに、画像データＧＤＷｍに基づいて画像を表示する度に、その表示された画像に隠された財宝の画像データだけを抜き出し、その抜き出した財宝の画像データを保持する。そして、通信装置１０の表示部１３は、制御部１４から指示信号ＩＮＳＴ２を受けると、それまでに保持した財宝の画像データに基づいて、財宝の一覧表を作成し、その作成した一覧表を表示する。
【０１６９】
なお、表示部１３は、画像データＧＤＷｍに対して輪郭抽出処理を施すことによって、画像データＧＤＷｍから動物の画像データまたは財宝の画像データを抜き出し、その抜き出した動物の画像データまたは財宝の画像データを保持する。
【０１７０】
投影器４０が画像Ｇ９を２次元通信シート３０上に投影しているときに、ユーザは、通信装置１０を画像Ｇ９上の予め決定された所定の位置（＝動物が潜む位置）に配置すると、通信装置１０の受光部１１，１２は、上述した方法によって、位置情報［ｘ１，ｙ１］，［ｘ２，ｙ２］を検出し、その検出した位置情報［ｘ１，ｙ１］，［ｘ２，ｙ２］を制御部１４へ出力する。
【０１７１】
そして、通信装置１０の制御部１４は、受光部１１，１２から位置情報［ｘ１，ｙ１］，［ｘ２，ｙ２］を受けると、位置情報［ｘ１，ｙ１］，［ｘ２，ｙ２］が画像Ｇ９上の位置情報であることを示すフラグＦ−Ｇ９と、位置情報［ｘ１，ｙ１］，［ｘ２，ｙ２］とを含むパケットＰＫＴ１＝［Ａｄｄ１０／Ｆ−Ｇ９／［ｘ１，ｙ１］，［ｘ２，ｙ２］］を生成する。
【０１７２】
そうすると、通信装置１０は、上述した方法によって、２次元通信シート３０を介してパケットＰＫＴ１＝［Ａｄｄ１０／Ｆ−Ｇ９／［ｘ１，ｙ１］，［ｘ２，ｙ２］］を通信装置２０へ送信する。
【０１７３】
そして、通信装置２０は、２次元通信シート３０を介してパケットＰＫＴ１＝［Ａｄｄ１０／Ｆ−Ｇ９／［ｘ１，ｙ１］，［ｘ２，ｙ２］］を受信する。通信装置２０において、制御部２３は、上述した方法によって、パケットＰＫＴ１＝［Ａｄｄ１０／Ｆ−Ｇ９／［ｘ１，ｙ１］，［ｘ２，ｙ２］］を通信部２２から受ける。そして、通信装置２０の制御部２３は、パケットＰＫＴ１からフラグＦ−Ｇ９および位置情報［ｘ１，ｙ１］，［ｘ２，ｙ２］を取り出し、フラグＦ−Ｇ９に基づいて、位置情報［ｘ１，ｙ１］，［ｘ２，ｙ２］が画像Ｇ９上の位置を示すことを検知する。また、通信装置２０の制御部２３は、位置情報［ｘ１，ｙ１］，［ｘ２，ｙ２］に基づいて、上述した方法によって、通信装置１０が配置された位置に関連する領域ＡＲＥＡｍを検出する。
【０１７４】
そうすると、通信装置２０の制御部２３は、記憶部２４に記憶されたテーブルＴＢＬ−７を参照して、領域ＡＲＥＡｍに対応する画像データＧＤＷｍ−Ｇ９を抽出するとともに、その抽出した画像データＧＤＷｍ−Ｇ９に対応する説明文ＥＸＰＬｍ−Ｇ９を抽出する。
【０１７５】
そして、通信装置２０の制御部２３は、その抽出した画像データＧＤＷｍ−Ｇ９および説明文ＥＸＰＬｍ−Ｇ９を関連情報ＩＦＲとして含むパケットＰＫＴ２＝［Ａｄｄ１０／ＩＦＲ（ＧＤＷｍ−Ｇ９＋ＥＸＰＬｍ−Ｇ９）］を生成する。
【０１７６】
そうすると、通信装置２０は、その生成したパケットＰＫＴ２＝［Ａｄｄ１０／ＩＦＲ（ＧＤＷｍ−Ｇ９＋ＥＸＰＬｍ−Ｇ９）］を上述した方法によって通信装置１０へ送信する。
【０１７７】
通信装置１０は、２次元通信シート３０を介してパケットＰＫＴ２＝［Ａｄｄ１０／ＩＦＲ（ＧＤＷｍ−Ｇ９＋ＥＸＰＬｍ−Ｇ９）］を受信する。通信装置１０において、制御部１４は、上述した方法によって、パケットＰＫＴ２＝［Ａｄｄ１０／ＩＦＲ（ＧＤＷｍ−Ｇ９＋ＥＸＰＬｍ−Ｇ９）］を通信部１５から受ける。そして、通信装置１０の制御部１４は、パケットＰＫＴ２から関連情報ＩＦＲ（ＧＤＷｍ−Ｇ９＋ＥＸＰＬｍ−Ｇ９）を取り出し、その取り出した関連情報ＩＦＲ（ＧＤＷｍ−Ｇ９＋ＥＸＰＬｍ−Ｇ９）を表示部１３へ出力する。そして、通信装置１０の表示部１３は、画像データＧＤＷｍ−Ｇ９に基づいて、動物が潜む画像を表示するとともに、画像データＧＤＷｍ−Ｇ９から動物の画像データを抜き出して保存する。また、通信装置１０の表示部１３は、説明文ＥＸＰＬｍ−Ｇ９に基づいて、表示した動物を説明する音声を再生する。
【０１７８】
ユーザは、通信装置１０の配置位置を他の所定の位置に変える動作を数回繰り返す。これによって、通信装置１０は、上述した動作によって、通信装置２０から受信した関連情報ＩＦＲ（ＧＤＷｍ−Ｇ９＋ＥＸＰＬｍ−Ｇ９）を表示するとともに、表示した画像に潜む動物の画像データを抜き出して保存する。
【０１７９】
その後、通信装置１０の制御部１４は、通信装置１０の配置方向が縦方向へ変化したことを上述した方法によって検出すると、指示信号ＩＮＳＴ１を生成して表示部１３へ出力し、表示部１３は、指示信号ＩＮＳＴ１に応じて、それまでに保存した動物の画像データに基づいて、動物の一覧表を作成して表示する。
【０１８０】
その後、投影器４０が画像Ｇ９に代えて画像Ｇ１０を２次元通信シート３０上に投影し、ユーザは、通信装置１０を画像Ｇ１０の任意の位置に配置すると、通信装置１０の受光部１１，１２は、上述した方法によって、位置情報［ｘ１，ｙ１］，［ｘ２，ｙ２］を検出し、その検出した位置情報［ｘ１，ｙ１］，［ｘ２，ｙ２］を制御部１４へ出力する。
【０１８１】
そして、通信装置１０の制御部１４は、受光部１１，１２から位置情報［ｘ１，ｙ１］，［ｘ２，ｙ２］を受けると、位置情報［ｘ１，ｙ１］，［ｘ２，ｙ２］が画像Ｇ１０上の位置情報であることを示すフラグＦ−Ｇ１０と、位置情報［ｘ１，ｙ１］，［ｘ２，ｙ２］とを含むパケットＰＫＴ１＝［Ａｄｄ１０／Ｆ−Ｇ１０／［ｘ１，ｙ１］，［ｘ２，ｙ２］］を生成する。
【０１８２】
そうすると、通信装置１０は、上述した方法によって、２次元通信シート３０を介してパケットＰＫＴ１＝［Ａｄｄ１０／Ｆ−Ｇ１０／［ｘ１，ｙ１］，［ｘ２，ｙ２］］を通信装置２０へ送信する。
【０１８３】
そして、通信装置２０は、２次元通信シート３０を介してパケットＰＫＴ１＝［Ａｄｄ１０／Ｆ−Ｇ１０／［ｘ１，ｙ１］，［ｘ２，ｙ２］］を受信する。通信装置２０において、制御部２３は、上述した方法によって、パケットＰＫＴ１＝［Ａｄｄ１０／Ｆ−Ｇ１０／［ｘ１，ｙ１］，［ｘ２，ｙ２］］を通信部２２から受ける。そして、通信装置２０の制御部２３は、パケットＰＫＴ１からフラグＦ−Ｇ１０および位置情報［ｘ１，ｙ１］，［ｘ２，ｙ２］を取り出し、フラグＦ−Ｇ１０に基づいて、位置情報［ｘ１，ｙ１］，［ｘ２，ｙ２］が画像Ｇ１０上の位置を示すことを検知する。また、通信装置２０の制御部２３は、位置情報［ｘ１，ｙ１］，［ｘ２，ｙ２］に基づいて、上述した方法によって、通信装置１０が配置された位置に関連する領域ＡＲＥＡｍを検出する。
【０１８４】
そうすると、通信装置２０の制御部２３は、記憶部２４に記憶されたテーブルＴＢＬ−８を参照して、領域ＡＲＥＡｍに対応する画像データＧＤＷｍ−Ｇ１０を抽出するとともに、その抽出した画像データＧＤＷｍ−Ｇ１０に対応する説明文ＥＸＰＬｍ−Ｇ１０を抽出する。
【０１８５】
そして、通信装置２０の制御部２３は、その抽出した画像データＧＤＷｍ−Ｇ１０および説明文ＥＸＰＬｍ−Ｇ１０を関連情報ＩＦＲとして含むパケットＰＫＴ２＝［Ａｄｄ１０／ＩＦＲ（ＧＤＷｍ−Ｇ１０＋ＥＸＰＬｍ−Ｇ１０）］を生成する。
【０１８６】
そうすると、通信装置２０は、その生成したパケットＰＫＴ２＝［Ａｄｄ１０／ＩＦＲ（ＧＤＷｍ−Ｇ１０＋ＥＸＰＬｍ−Ｇ１０）］を上述した方法によって通信装置１０へ送信する。
【０１８７】
通信装置１０は、２次元通信シート３０を介してパケットＰＫＴ２＝［Ａｄｄ１０／ＩＦＲ（ＧＤＷｍ−Ｇ１０＋ＥＸＰＬｍ−Ｇ１０）］を受信する。通信装置１０において、制御部１４は、上述した方法によって、パケットＰＫＴ２＝［Ａｄｄ１０／ＩＦＲ（ＧＤＷｍ−Ｇ１０＋ＥＸＰＬｍ−Ｇ１０）］を通信部１５から受ける。そして、通信装置１０の制御部１４は、パケットＰＫＴ２から関連情報ＩＦＲ（ＧＤＷｍ−Ｇ１０＋ＥＸＰＬｍ−Ｇ１０）を取り出し、その取り出した関連情報ＩＦＲ（ＧＤＷｍ−Ｇ１０＋ＥＸＰＬｍ−Ｇ１０）を表示部１３へ出力する。そして、通信装置１０の表示部１３は、画像データＧＤＷｍ−Ｇ１０に基づいて、動物が潜む画像を表示するとともに、画像データＧＤＷｍ−Ｇ１０から財宝の画像データを抜き出して保存する。また、通信装置１０の表示部１３は、説明文ＥＸＰＬｍ−Ｇ１０に基づいて、表示した財宝を説明する文章を表示する。
【０１８８】
ユーザは、通信装置１０の配置位置を他の所定の位置に変える動作を数回繰り返す。これによって、通信装置１０は、上述した動作によって、通信装置２０から受信した関連情報ＩＦＲ（ＧＤＷｍ−Ｇ１０＋ＥＸＰＬｍ−Ｇ１０）を表示するとともに、表示した画像に隠された財宝の画像データを抜き出して保存する。
【０１８９】
その後、通信装置１０の制御部１４は、通信装置１０の配置方向が縦方向へ変化したことを上述した方法によって検出すると、指示信号ＩＮＳＴ２を生成して表示部１３へ出力し、表示部１３は、指示信号ＩＮＳＴ２に応じて、それまでに保存した財宝の画像データに基づいて、財宝の一覧表を作成して表示する。
【０１９０】
上述したように、具体例６においては、通信システム１００を用いて宝探しを行うことができる。
【０１９１】
［具体例７］
図３０は、２次元通信シート３０上に投影される具体例７における画像を示す図である。図３０を参照して、投影器４０は、２次元通信シート３０上に画像Ｇ１１を投影する。画像Ｇ１１は、各種の形および各種の色を有する卵を配列した画像からなる。
【０１９２】
投影器４０が画像Ｇ１１を２次元通信シート３０上に投影する場合、通信装置２０の記憶部２４は、図２２に示すテーブルＴＢＬ−４を記憶する。
【０１９３】
そして、テーブルＴＢＬ−４の画像データＧＤＷ１〜ＧＤＷｎは、成長後の動物の画像データからなり、説明文ＥＸＰＬ１〜ＥＸＰＬｎは、成長した動作を説明する文章からなる。
【０１９４】
通信装置１０は、画像Ｇ１１上の複数の卵のいずれかの上に配置されると、上述した方法によって、その配置された位置の位置情報［ｘ１，ｙ１］，［ｘ２，ｙ２］を検出し、その検出した位置情報［ｘ１，ｙ１］，［ｘ２，ｙ２］を含むパケットＰＫＴ１を生成して通信装置２０へ送信する。
【０１９５】
そして、通信装置２０は、通信装置１０から受信したパケットＰＫＴ１から位置情報［ｘ１，ｙ１］，［ｘ２，ｙ２］を取り出し、位置情報［ｘ１，ｙ１］，［ｘ２，ｙ２］によって特定される領域ＡＲＥＡｍを検出する。その後、通信装置２０は、記憶部２４に記憶されたテーブルＴＢＬ−４を参照して、領域ＡＲＥＡｍに対応する画像データＧＤＷｍを抽出するとともに、その抽出した画像データＧＤＷｍに対応する説明文ＥＸＰＬｍを抽出する。
【０１９６】
そして、通信装置２０は、その抽出した画像データＧＤＷｍおよび説明文ＥＸＰＬｍを関連情報ＩＦＲとして含むパケットＰＫＴ２＝［Ａｄｄ１０／ＩＦＲ（ＧＤＷｍ＋ＥＸＰＬｍ）］を生成して通信装置１０へ送信する。
【０１９７】
通信装置１０は、２次元通信シート３０を介してパケットＰＫＴ２＝［Ａｄｄ１０／ＩＦＲ（ＧＤＷＬｍ＋ＥＸＰＬｍ）］を受信し、その受信したパケットＰＫＴ２から関連情報ＩＦＲ（ＧＤＷｍ＋ＥＸＰＬｍ）を取り出す。そして、通信装置１０は、その取り出した画像データＧＤＷｍに基づいて、画像Ｇ１１上に配置された通信装置１０の位置に存在する卵から成長した動物の画像を表示する。また、通信装置１０は、説明文ＥＸＰＬｍに基づいて、成長した動物を説明するための文章を表示する。
【０１９８】
これによって、ユーザは、各卵からどのような動物が成長するかを学習できる。また、ユーザは、卵と、成長後の動物とのギャップを感知でき、各卵からどのような動物が成長するかを楽しみながら学習できる。
【０１９９】
なお、具体例７においては、画像データＧＤＷ１〜ＧＤＷｎは、動物の成長過程を示す動画データからなっていてもよい。
【０２００】
［具体例８］
図３１は、２次元通信シート３０上に投影される具体例８における画像を示す図である。図３１を参照して、投影器４０は、２次元通信シート３０上に画像Ｇ１２を投影する（（ａ）参照）。画像Ｇ１２は、船の画像からなる。
【０２０１】
投影器４０が画像Ｇ１２を２次元通信シート３０上に投影する場合、通信装置２０の記憶部２４は、図２２に示すテーブルＴＢＬ−４を記憶する。
【０２０２】
そして、テーブルＴＢＬ−４の画像データＧＤＷ１〜ＧＤＷｎは、船の内部の画像データからなり、説明文ＥＸＰＬ１〜ＥＸＰＬｎは、船の内部の各部を説明する文章からなる。
【０２０３】
通信装置１０は、画像Ｇ１２上の任意の位置に配置されると、上述した方法によって、その配置された位置の位置情報［ｘ１，ｙ１］，［ｘ２，ｙ２］を検出し、その検出した位置情報［ｘ１，ｙ１］，［ｘ２，ｙ２］を含むパケットＰＫＴ１を生成して通信装置２０へ送信する。
【０２０４】
そして、通信装置２０は、通信装置１０から受信したパケットＰＫＴ１から位置情報［ｘ１，ｙ１］，［ｘ２，ｙ２］を取り出し、位置情報［ｘ１，ｙ１］，［ｘ２，ｙ２］によって特定される領域ＡＲＥＡｍを検出する。その後、通信装置２０は、記憶部２４に記憶されたテーブルＴＢＬ−４を参照して、領域ＡＲＥＡｍに対応する画像データＧＤＷｍを抽出するとともに、その抽出した画像データＧＤＷｍに対応する説明文ＥＸＰＬｍを抽出する。
【０２０５】
そして、通信装置２０は、その抽出した画像データＧＤＷｍおよび説明文ＥＸＰＬｍを関連情報ＩＦＲとして含むパケットＰＫＴ２＝［Ａｄｄ１０／ＩＦＲ（ＧＤＷｍ＋ＥＸＰＬｍ）］を生成して通信装置１０へ送信する。
【０２０６】
通信装置１０は、２次元通信シート３０を介してパケットＰＫＴ２＝［Ａｄｄ１０／ＩＦＲ（ＧＤＷＬｍ＋ＥＸＰＬｍ）］を受信し、その受信したパケットＰＫＴ２から関連情報ＩＦＲ（ＧＤＷｍ＋ＥＸＰＬｍ）を取り出す。そして、通信装置１０は、その取り出した画像データＧＤＷｍに基づいて、画像Ｇ１２上に配置された通信装置１０の位置に存在する船の内部の画像を表示する。また、通信装置１０は、説明文ＥＸＰＬｍに基づいて、表示した船の内部を説明するための文章を表示する。
【０２０７】
これによって、ユーザは、船の内部をレントゲンのように見ることができる。
【０２０８】
投影器４０が像Ｇ１２に代えて自動車の画像Ｇ１３を２次元通信シート３０上に投影した場合（図３１の（ｂ）参照）、通信装置１０は、上述した動作によって、自動車の内部をレントゲンのように見ることができる。
［具体例９］
図３２は、２次元通信シート３０上に投影される具体例９における画像を示す図である。図３２を参照して、投影器４０は、２次元通信シート３０上に画像Ｇ１４を投影する。画像Ｇ１４は、色とりどりの熱帯魚が泳ぐ水族館の画像からなる。したがって、画像Ｇ１４は、動画である。
【０２０９】
図３３は、領域と画像データと説明文と得点との対応関係を示すテーブルの概念図である。図３３を参照して、テーブルＴＢＬ−９は、図２２に示すテーブルＴＢＬ−４に得点を追加したものであり、その他は、テーブルＴＢＬ−４と同じである。
【０２１０】
具体例９においては、テーブルＴＢＬ−９の画像データＧＤＷ１〜ＧＤＷｎは、水族館の中を泳ぐ魚の画像データからなり、説明文ＥＸＰＬ１〜ＥＸＰＬｎは、水族館の中を泳ぐ魚を説明する文章からなる。また、得点ＳＣＲ１〜ＳＣＲｎは、それぞれ、画像データＧＤＷ１〜ＧＤＷｎに対応付けられており、魚を通信装置１０の表示部１３に表示したときの得点である。
【０２１１】
具体例９においては、通信装置１０の制御部１４は、通信装置２０から受信した関連情報ＩＦＲを表示部１３へ出力する度に関連情報ＩＦＲに含まれる得点ＳＣＲ１を加算して総合得点を更新し、その更新した総合得点を表示部１３へ出力する。また、通信装置１０の表示部１３は、関連情報ＩＦＲを表示するとともに、制御部１４から受けた総合得点を表示する。
【０２１２】
通信装置１０は、画像Ｇ１４上の魚の位置に配置されると、上述した方法によって、その配置された位置の位置情報［ｘ１，ｙ１］，［ｘ２，ｙ２］を検出し、その検出した位置情報［ｘ１，ｙ１］，［ｘ２，ｙ２］を含むパケットＰＫＴ１を生成して通信装置２０へ送信する。
【０２１３】
そして、通信装置２０は、通信装置１０から受信したパケットＰＫＴ１から位置情報［ｘ１，ｙ１］，［ｘ２，ｙ２］を取り出し、位置情報［ｘ１，ｙ１］，［ｘ２，ｙ２］によって特定される領域ＡＲＥＡｍを検出する。その後、通信装置２０は、記憶部２４に記憶されたテーブルＴＢＬ−９を参照して、領域ＡＲＥＡｍに対応する画像データＧＤＷｍ、説明文ＥＸＰＬｍおよび得点ＳＣＲｍを抽出する。
【０２１４】
そして、通信装置２０は、その抽出した画像データＧＤＷｍ、説明文ＥＸＰＬｍおよび得点ＳＣＲｍを関連情報ＩＦＲとして含むパケットＰＫＴ２＝［Ａｄｄ１０／ＩＦＲ（ＧＤＷｍ＋ＥＸＰＬｍ＋ＳＣＲｍ）］を生成して通信装置１０へ送信する。
【０２１５】
通信装置１０は、２次元通信シート３０を介してパケットＰＫＴ２＝［Ａｄｄ１０／ＩＦＲ（ＧＤＷＬｍ＋ＥＸＰＬｍ＋ＳＣＲｍ）］を受信する。そうすると、通信装置１０において、制御部１４は、上述した方法によって、パケットＰＫＴ２＝［Ａｄｄ１０／ＩＦＲ（ＧＤＷＬｍ＋ＥＸＰＬｍ＋ＳＣＲｍ）］を通信部１５から受け、その受けたパケットＰＫＴ２から関連情報ＩＦＲ（ＧＤＷｍ＋ＥＸＰＬｍ＋ＳＣＲｍ）を取り出す。そして、通信装置１０の制御部１４は、その取り出した得点ＳＣＲｍを保存するとともに、関連情報ＩＦＲ（ＧＤＷｍ＋ＥＸＰＬｍ＋ＳＣＲｍ）を表示部１３へ出力する。
【０２１６】
そして、通信装置１０の表示部１３は、画像データＧＤＷｍに基づいて、水族館で泳ぐ魚の画像を表示するとともに、説明文ＥＸＰＬｍに基づいて、表示した魚を説明するための文章を表示する。また、通信装置１０の表示部１３は、得点ＳＣＲｍを表示する。
【０２１７】
なお、通信装置１０の表示部１３が魚を表示した時点で、通信装置１０のユーザは、その表示された魚を取得したことになる。
【０２１８】
通信装置１０の画像Ｇ１４上の位置が変えられたとき、通信装置１０は、上述した動作によって、新たな関連情報ＩＦＲを通信装置２０から受信して表示する。そして、この場合、通信装置１０の制御部１４は、新たに受信した関連情報ＩＦＲ（ＧＤＷｍ＋１＋ＥＸＰＬｍ＋１＋ＳＣＲｍ＋１）に含まれる得点ＳＣＲｍ＋１を既に保持している得点ＳＣＲｍに加算して総合得点を更新し、その更新した総合得点と、画像データＧＤＷｍ＋１と、説明文ＥＸＰＬｍ＋１とを表示部１３へ出力する。
【０２１９】
そして、通信装置１０の表示部１３は、画像データＧＤＷｍ＋１に基づいて、新たな魚を表示するとともに、説明文ＥＸＰＬｍ＋１に基づいて、その表示した魚の説明を表示し、総合得点を表示する。
【０２２０】
なお、具体例９においては、水族館に現れる頻度が低い魚ほど、得点ＳＣＲｍが高い。また、サメを間違って捕獲したとき、または通信装置１０を画像Ｇ１４上に置くタイミングおよび角度が悪いとき、画像Ｇ１４が消えて、ゲームが終了する。
【０２２１】
このように、具体例９においては、画像Ｇ１４中の魚を通信装置１０に表示することによって魚を捕獲する疑似体験ができる。また、捕獲する魚によって得点が異なるので、魚を捕獲するゲームを楽しむことができる。
【０２２２】
上述したように、具体例９によれば、水族館で魚を捕獲する疑似体験をしながら、ゲームを楽しむことができる。
【０２２３】
なお、上記においては、通信装置１０は、２つの受光部１１，１２によって２つの位置情報［ｘ１，ｙ１］，［ｘ２，ｙ２］を検出すると説明したが、この発明においては、これに限らず、通信装置１０は、３個以上の位置情報を検出するようにしてもよく、一般的には、複数の位置情報を検出すればよい。複数の位置情報を検出すれば、通信装置１０の向きも検出できるからである。
【０２２４】
［実施の形態２］
図３４は、実施の形態２による通信システムの構成を示す概略図である。図３４を参照して、実施の形態２による通信システム２００は、２次元通信シート３０と、信号受信器２１０と、ＵＳＢ（Ｕｎｉｖｅｒｓａｌ  Ｓｅｒｉａｌ  Ｂｕｓ）ケーブル２２０と、通信装置２３０，２４０とを備える。
【０２２５】
信号受信器２１０は、たとえば、ｍｉｍｉｏキャプチャバーからなる。そして、信号受信器２１０は、２次元通信シート３０の幅に等しい長さを有し、２次元通信シート３０の一方端に２次元通信シート３０に沿って配置される。
【０２２６】
ＵＳＢケーブル２２０は、信号受信器２１０を通信装置２４０に接続する。通信装置２３０，２４０は、２次元通信シート３０上に配置される。
【０２２７】
信号受信器２１０は、通信装置２３０から超音波信号および赤外線信号を受信し、その受信した超音波信号と、超音波信号を受信した受信位置［ｘ１，ｙ１］と、超音波信号を受信した受信時刻ｔ１と、赤外線信号と、赤外線信号を受信した受信位置［ｘ２，ｙ２］と、赤外線信号を受信した受信時刻ｔ２とを検出する。そして、位置検出器２１０は、超音波信号、受信位置［ｘ１，ｙ１］、受信時刻ｔ１、赤外線信号、受信位置［ｘ２，ｙ２］および受信時刻ｔ２をＵＳＢケーブル２２０を介して通信装置２４０へ送信する。
【０２２８】
通信装置２３０は、２次元通信シート３０上に配置され、オンされると、２つの発信源の各々から自己の識別情報ＩＤを含む超音波信号および赤外線信号を発信する。また、通信装置２３０は、自己が配置された位置に連関する関連情報を２次元通信シート３０を介して通信装置２４０から受信し、その受信した関連情報を表示する。
【０２２９】
通信装置２４０は、信号受信器２１０からＵＳＢケーブル２２０を介して超音波信号、受信位置［ｘ１，ｙ１］、受信時刻ｔ１、赤外線信号、受信位置［ｘ２，ｙ２］および受信時刻ｔ２を受け、その受けた超音波信号、受信位置［ｘ１，ｙ１］、受信時刻ｔ１、赤外線信号、受信位置［ｘ２，ｙ２］および受信時刻ｔ２に基づいて、後述する方法によって、通信装置２３０が配置された位置を検出する。そして、通信装置２４０は、その検出した通信装置２３０の配置位置に関連する情報を２次元通信シート３０を介して通信装置２３０へ送信する。
【０２３０】
図３５は、図３４に示す通信装置２３０の構成を示す概略ブロック図である。図３５を参照して、通信装置２３０は、図４に示す通信装置１０の受光部１１，１２をそれぞれ発信部２１１，２１２に代えたものであり、その他は、通信装置１０と同じである。
【０２３１】
発信部２１１，２１２は、通信装置２１０の底部に配置される。そして、発信部２１１，２１２の各々は、電力蓄積部１７からの電力によって駆動する。そして、発信部２１１は、通信装置２３０のアドレスＡｄｄ２３０と発信時刻ｔ０とを含む超音波信号［ＳＰ１／Ａｄｄ２３０／ｔ０］および赤外線信号［ＩＦＲ１／Ａｄｄ２３０／ｔ０］を発信する。また、発信部２１２は、通信装置２３０のアドレスＡｄｄ２３０と発信時刻ｔ１とを含む超音波信号［ＳＰ２／Ａｄｄ２３０／ｔ１］および赤外線信号［ＩＦＲ２／Ａｄｄ２３０／ｔ１］を発信する。
【０２３２】
なお、図３４に示す通信装置２４０は、図６に示す通信装置２０と同じ構成からなる。そして、通信装置２４０においては、通信部２２は、ＵＳＢケーブル２１０にも接続される。
【０２３３】
図３６は、通信装置２３０の位置を検出する方法を説明するための図である。図３６を参照して、信号受信器２１０は、たとえば、ｙ軸に沿って配置される。そして、通信装置２３０の発信部２１１は、点Ａ（Ｘ１，Ｙ１）に配置され、上述した超音波信号［ＳＰ１／Ａｄｄ２３０／ｔ０］および赤外線信号［ＩＦＲ１／Ａｄｄ２３０／ｔ０］を同じ時刻ｔ０で発信する。
【０２３４】
そうすると、信号受信器２１０は、原点（０，０）で超音波信号［ＳＰ１／Ａｄｄ２３０／ｔ０］を受信し、その超音波信号［ＳＰ１／Ａｄｄ２３０／ｔ０］を受信した受信時刻ｔ１を検出する。また、信号受信器２１０は、点Ｂ（０，Ｗ）で赤外線信号［ＩＦＲ１／Ａｄｄ２３０／ｔ０］を受信し、その赤外線信号［ＩＦＲ１／Ａｄｄ２３０／ｔ０］を受信した受信時刻ｔ３を検出する。さらに、信号受信器２１０は、原点（０，０）と点Ｂ（０，Ｗ）との距離Ｗを検出する。そして、信号受信器２１０は、超音波信号［ＳＰ１／Ａｄｄ２３０／ｔ０］、受信時刻ｔ２、赤外線信号［ＩＦＲ１／Ａｄｄ２３０／ｔ０］、受信時刻ｔ３および距離ＷをＵＳＢケーブル２２０を介して通信装置２４０へ出力する。
【０２３５】
通信装置２４０の通信部２２は、ＵＳＢケーブル２１０を介して、超音波信号［ＳＰ１／Ａｄｄ２３０／ｔ０］、受信時刻ｔ２、赤外線信号［ＩＦＲ１／Ａｄｄ２３０／ｔ０］、受信時刻ｔ３および距離Ｗを受信し、その受信した超音波信号［ＳＰ１／Ａｄｄ２３０／ｔ０］、受信時刻ｔ２、赤外線信号［ＩＦＲ１／Ａｄｄ２３０／ｔ０］、受信時刻ｔ３および距離Ｗを制御部２３へ出力する。
【０２３６】
通信装置２４０の制御部２３は、超音波信号［ＳＰ１／Ａｄｄ２３０／ｔ０］、受信時刻ｔ２、赤外線信号［ＩＦＲ１／Ａｄｄ２３０／ｔ０］、受信時刻ｔ３および距離Ｗを通信部２２から受ける。そして、通信装置２４０の制御部２３は、超音波信号［ＳＰ１／Ａｄｄ２３０／ｔ０］から発信時刻ｔ０を検出し、その検出した発信時刻ｔ０を受信時刻ｔ２から減算し、その減算結果（＝ｔ２−ｔ０）を音速度に乗算して点Ａ（Ｘ１，Ｙ１）と原点（０，０）との距離Ｓ０を演算する。
【０２３７】
また、通信装置２４０の制御部２３は、赤外線信号［ＩＦＲ１／Ａｄｄ２３０／ｔ０］から発信時刻ｔ０を検出し、その検出した発信時刻ｔ０を受信時刻ｔ３から減算し、その減算結果（＝ｔ３−ｔ０）を音速度に乗算して点Ａ（Ｘ１，Ｙ１）と点Ｂ（０，Ｗ）との距離Ｓ１を演算する。
【０２３８】
そうすると、通信装置２４０の制御部２３は、距離Ｓ０，Ｓ１，Ｗを次式（１）に代入して点Ａのｙ座標Ｙ１を演算する。
【０２３９】
【数１】
0005211319.tif 000002
【０２４０】
そして、通信装置２４０の制御部２３は、式（１）を用いて演算したｙ座標Ｙ１と距離Ｓ０とを次式に代入して点Ａのｘ座標Ｘ１を演算する。
【０２４１】
【数２】
0005211319.tif 000003
【０２４２】
これによって、通信装置２４０の制御部２３は、通信装置２３０の発信部２１１の位置Ａ（Ｘ１，Ｙ１）を演算する。
【０２４３】
通信装置２４０の制御部２３は、超音波信号［ＳＰ２／Ａｄｄ２３０／ｔ１］、超音波信号［ＳＰ２／Ａｄｄ２３０／ｔ１］の受信時刻ｔ４、赤外線信号［ＩＦＲ２／Ａｄｄ２３０／ｔ１］、赤外線信号［ＩＦＲ２／Ａｄｄ２３０／ｔ１］の受信時刻ｔ５および超音波信号［ＳＰ２／Ａｄｄ２３０／ｔ１］の受信位置と赤外線信号［ＩＦＲ２／Ａｄｄ２３０／ｔ１］の受信位置との距離とを用いて上述した方法によって発信部２１２の位置（Ｘ２，Ｙ２）を検出する。
【０２４４】
このように、通信装置２４０の制御部２３は、超音波信号の信号受信器２１０への到達時間と、赤外線信号の信号受信器２１０への到達時間との時間差を利用して通信装置２３０の発信部２１１，２１２の位置を検出する。
【０２４５】
なお、上述した方法によって検出される発信部２１１，２１２の位置（Ｘ１，Ｙ１），（Ｘ２，Ｙ２）は、信号受信器２１０の位置を基準した相対的な位置である。
【０２４６】
図３７は、図３４に示す通信システム２００の具体例を示す図である。図３７を参照して、画像パネル２５０は、２次元通信シート３０上に配置され、複数の画像２５１〜２５８からなる。通信装置２４０の記憶部２４は、画像パネル２５０を構成する複数の画像２５１〜２５０の配置領域ＡＲＥＡと、複数の画像２５１〜２５８の画像データとの対応関係を示すテーブルを図１９に示すテーブルＴＢＬ−３の形式で記憶する。
【０２４７】
通信装置２３０の配置位置に関連する情報を通信装置２３０に表示する実施の形態２における動作について説明する。
【０２４８】
通信装置２３０が画像パネル２５０を構成する複数の画像２５１〜２５８のうちの１つの画像２５１上に配置されると、通信装置２３０の発信部２１１は、上述した超音波信号［ＳＰ１／Ａｄｄ２３０／ｔ０］および赤外線信号［ＩＦＲ１／Ａｄｄ２３０／ｔ０］を時刻ｔ０で発信し、発信部２１２は、上述した超音波信号［ＳＰ２／Ａｄｄ２３０／ｔ１］および赤外線信号［ＩＦＲ２／Ａｄｄ２３０／ｔ１］を時刻ｔ１で発信する。
【０２４９】
そして、信号受信器２１０は、超音波信号［ＳＰ１／Ａｄｄ２３０／ｔ０］を受信し、超音波信号［ＳＰ１／Ａｄｄ２３０／ｔ０］を受信した受信時刻ｔ２を検出するとともに、赤外線信号［ＩＦＲ１／Ａｄｄ２３０／ｔ０］を受信し、赤外線信号［ＩＦＲ１／Ａｄｄ２３０／ｔ０］を受信した受信時刻ｔ３を検出する。また、信号受信器２１０は、超音波信号［ＳＰ１／Ａｄｄ２３０／ｔ０］を受信した受信位置と、赤外線信号［ＩＦＲ１／Ａｄｄ２３０／ｔ０］を受信した受信位置との距離Ｗ１を検出する。
【０２５０】
その後、信号受信器２１０は、超音波信号［ＳＰ２／Ａｄｄ２３０／ｔ１］を受信し、超音波信号［ＳＰ２／Ａｄｄ２３０／ｔ１］を受信した受信時刻ｔ４を検出するとともに、赤外線信号［ＩＦＲ２／Ａｄｄ２３０／ｔ１］を受信し、赤外線信号［ＩＦＲ２／Ａｄｄ２３０／ｔ１］を受信した受信時刻ｔ５を検出する。また、信号受信器２１０は、超音波信号［ＳＰ２／Ａｄｄ２３０／ｔ１］を受信した受信位置と、赤外線信号［ＩＦＲ２／Ａｄｄ２３０／ｔ１］を受信した受信位置との距離Ｗ２を検出する。
【０２５１】
そうすると、信号受信器２１０は、超音波信号［ＳＰ１／Ａｄｄ２３０／ｔ０］、受信時刻ｔ２、赤外線信号［ＩＦＲ１／Ａｄｄ２３０／ｔ０］、受信時刻ｔ３、距離Ｗ１、超音波信号［ＳＰ２／Ａｄｄ２３０／ｔ１］、受信時刻ｔ４、赤外線信号［ＩＦＲ２／Ａｄｄ２３０／ｔ１］、受信時刻ｔ５および距離Ｗ２をＵＳＢケーブル２２０を介して通信装置２４０へ送信する。
【０２５２】
通信装置２４０は、ＵＳＢケーブル２２０を介して、超音波信号［ＳＰ１／Ａｄｄ２３０／ｔ０］、受信時刻ｔ２、赤外線信号［ＩＦＲ１／Ａｄｄ２３０／ｔ０］、受信時刻ｔ３、距離Ｗ１、超音波信号［ＳＰ２／Ａｄｄ２３０／ｔ１］、受信時刻ｔ４、赤外線信号［ＩＦＲ２／Ａｄｄ２３０／ｔ１］、受信時刻ｔ５および距離Ｗ２を受信し、その受信した超音波信号［ＳＰ１／Ａｄｄ２３０／ｔ０］、受信時刻ｔ２、赤外線信号［ＩＦＲ１／Ａｄｄ２３０／ｔ０］、受信時刻ｔ３、および距離Ｗ１に基づいて、上述した方法によって、通信装置２３０の発信部２１１の位置（Ｘ１，Ｙ１）を検出する。
【０２５３】
また、通信装置２４０は、その受信した超音波信号［ＳＰ２／Ａｄｄ２３０／ｔ１］、受信時刻ｔ４、赤外線信号［ＩＦＲ２／Ａｄｄ２３０／ｔ１］、受信時刻ｔ５および距離Ｗ２に基づいて、上述した方法によって、通信装置２３０の発信部２１２の位置（Ｘ２，Ｙ２）を検出する。
【０２５４】
そうすると、通信装置２４０は、その検出した２つの位置（Ｘ１，Ｙ１），（Ｘ２，Ｙ２）を含む領域ＡＲＥＡを検出し、記憶部２４に記憶されたテーブル（＝テーブルＴＢＬ−３）を参照して、領域ＡＲＥＡｊに対応する画像データＧＤＷｊを抽出する。そして、通信装置２４０は、その抽出した画像データＧＤＷｊを上述した方法によって２次元通信シート３０を介して通信装置２３０へ送信する。
【０２５５】
そして、通信装置２３０は、２次元通信シート３０を介して上述した方法によって画像データＧＤＷｊを受信し、その受信した画像データＧＤＷｊに基づいて、自己が配置された位置に関連する画像を表示する。
【０２５６】
実施の形態２においては、上述した実施の形態１における具体例１〜具体例９のいずれかにおける画像からなる画像パネルを２次元通信シート３０上に配置することによって、上述した具体例１〜具体例９と同じ具体例を実施の形態２においても実現できる。
【０２５７】
上述したように、実施の形態２によれば、投影器４０を用いて画像を２次元通信シート３０上に投影しなくても、画像パネル２５０を２次元通信シート３０上に配置し、その配置した画像パネル２５０上に通信装置２３０を配置するだけで、通信装置２３０の配置位置に関連する情報を通信装置２３０に表示できる。
【０２５８】
その他は、実施の形態１と同じである。
【０２５９】
この発明においては、通信装置１０は、「第１の通信装置」を構成し、通信装置２０は、「第２の通信装置」を構成する。
【０２６０】
また、この発明においては、通信装置２３０は、「第１の通信装置」を構成し、通信装置２４０は、「第２の通信装置」を構成する。
【０２６１】
さらに、２次元通信シート３０は、「２次元通信媒体」を構成する。
【０２６２】
さらに、超音波信号は、「第１の信号」を構成し、赤外線信号は、「第２の信号」を構成する。
【０２６３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２６４】
この発明は、ユーザの通信装置の配置位置に関連した情報を表示可能な通信システムに適用される。
【図面の簡単な説明】
【０２６５】
【図１】この発明の実施の形態１による通信システムの構成を示す概略図である。
【図２】２次元通信シートの斜視図である。
【図３】図２に示す線ＩＩＩ−ＩＩＩ間における２次元通信シートの断面図である。
【図４】図１に示す通信装置の構成を示す概略ブロック図である。
【図５】図４に示すＡ方向から見た通信装置の平面図である。
【図６】図１に示すもう１つの通信装置の構成を示す概略ブロック図である。
【図７】２次元通信の概念図である。
【図８】受光部における受光画素を示す平面図である。
【図９】投影器によって２次元通信シート上に投影される画像の１つの画素を示す平面図である。
【図１０】図８に示す各受光画素における受光レベルの遷移を示す図である。
【図１１】１つの画素と受光画素との関係を示す平面図である。
【図１２】受光パターンと位置情報との関係を示す関係テーブルの概念図である。
【図１３】２次元通信シート上に投影される具体例１における画像を示す図である。
【図１４】図１３に示す画像の各画素と各画素の位置情報との対応関係を示すテーブルの概念図である。
【図１５】関連情報ＩＦＲの表示例を示す図である。
【図１６】２次元通信シート上に投影される具体例１における他の画像を示す図である。
【図１７】領域と説明文との対応関係を示すテーブルの概念図である。
【図１８】２次元通信シート上に投影される具体例２における画像を示す図である。
【図１９】領域と画像データとの対応関係を示すテーブルの概念図である。
【図２０】２次元通信シート上に投影される具体例２における他の画像を示す図である。
【図２１】２次元通信シート上に投影される具体例２におけるさらに他の画像を示す図である。
【図２２】領域と画像データと説明文との対応関係を示すテーブルの概念図である。
【図２３】２次元通信シート上に投影される具体例３における画像を示す図である。
【図２４】領域と言語と手話アニメとの対応関係を示すテーブルの概念図である。
【図２５】２次元通信シート上に投影される具体例４における画像を示す図である。
【図２６】領域と画像データと説明文との他の対応関係を示すテーブルの概念図である。
【図２７】２次元通信シート上に投影される具体例５における画像を示す図である。
【図２８】２次元通信シート上に投影される具体例６における画像を示す図である。
【図２９】領域と画像データと説明文とのさらに他の対応関係を示すテーブルの概念図である。
【図３０】２次元通信シート上に投影される具体例７における画像を示す図である。
【図３１】２次元通信シート上に投影される具体例８における画像を示す図である。
【図３２】２次元通信シート上に投影される具体例９における画像を示す図である。
【図３３】領域と画像データと説明文と得点との対応関係を示すテーブルの概念図である。
【図３４】実施の形態２による通信システムの構成を示す概略図である。
【図３５】図３４に示す通信装置の構成を示す概略ブロック図である。
【図３６】通信装置の位置を検出する方法を説明するための図である。
【図３７】図３４に示す通信システムの具体例を示す図である。
【符号の説明】
【０２６６】
１０，２０，２３０，２４０  通信装置、１１，１２  受光部、１３  表示部、１４，２３  制御部、１５，２２  通信部、１６，２１  コネクタ、１７  電力蓄積部、２４  記憶部、３０  ２次元通信シート、３１  誘電体、３２，３３  導体部、３２Ａ  開口部、４０  投影器、１００，２００  通信システム、２１０  信号受信器、２２０  ＵＳＢケーブル。
【図１】
0005211319.tif 000004
【図２】
0005211319.tif 000005
【図３】
0005211319.tif 000006
【図４】
0005211319.tif 000007
【図５】
0005211319.tif 000008
【図６】
0005211319.tif 000009
【図７】
0005211319.tif 000010
【図８】
0005211319.tif 000011
【図９】
0005211319.tif 000012
【図１０】
0005211319.tif 000013
【図１１】
0005211319.tif 000014
【図１２】
0005211319.tif 000015
【図１３】
0005211319.tif 000016
【図１４】
0005211319.tif 000017
【図１５】
0005211319.tif 000018
【図１６】
0005211319.tif 000019
【図１７】
0005211319.tif 000020
【図１８】
0005211319.tif 000021
【図１９】
0005211319.tif 000022
【図２０】
0005211319.tif 000023
【図２１】
0005211319.tif 000024
【図２２】
0005211319.tif 000025
【図２３】
0005211319.tif 000026
【図２４】
0005211319.tif 000027
【図２５】
0005211319.tif 000028
【図２６】
0005211319.tif 000029
【図２７】
0005211319.tif 000030
【図２８】
0005211319.tif 000031
【図２９】
0005211319.tif 000032
【図３０】
0005211319.tif 000033
【図３１】
0005211319.tif 000034
【図３２】
0005211319.tif 000035
【図３３】
0005211319.tif 000036
【図３４】
0005211319.tif 000037
【図３５】
0005211319.tif 000038
【図３６】
0005211319.tif 000039
【図３７】
0005211319.tif 000040